(57)【特許請求の範囲】
【請求項１】
受動型新生児搬送用保育器（ＰＮＴＩ）であって、新生児の体温調節に有用であり、前記新生児を収容するためのサイズおよび形状を用いて構成された内容積を含み、前記内容積は、近位端および反対側の遠位端をもつ主縦軸を有する外囲容器によって画定され、前記外囲容器は、穴があけられ、前記ＰＮＴＩは、通気モジュールを含む撮像装置に挿入されるように構成され、前記ＰＮＴＩは、前記穴があけられた外囲容器を通して前記通気モジュールによって通気されるように構成される、受動型新生児搬送用保育器（ＰＮＴＩ）。
【請求項２】
撮像医療機器は、磁気共鳴装置（ＭＲＤ）、ＣＴスキャナ、Ｘ線装置、超音波検査装置、エラストグラフィ、蛍光透視装置、光音響撮像装置、サーモグラフィ装置、機能的近赤外分光法、医療用写真装置および核医学機能的撮像装置、陽電子放出断層撮影（ＰＥＴ）装置、ならびにそれらの任意の組合せ、から成るグループから選択される、請求項１に記載のＰＮＴＩ。
【請求項３】
前記撮像装置は、穴を有する磁気共鳴装置（ＭＲＤ）であり、前記ＰＮＴＩは、ＭＲＩで使える材料で作られていて、前記穴に挿入されるためのサイズおよび形状を用いて構成されている、請求項１に記載のＰＮＴＩ。
【請求項４】
前記ＰＮＴＩは、アルファ、ベータ、ガンマ、Ｘ線、磁気、電離、熱、赤外線、音、およびそれらの任意の組合せ、から成るグループから選択された放射に対して透過性がある、請求項１に記載のＰＮＴＩ。
【請求項５】
前記ＰＮＴＩは、温度センサー、動きセンサー、呼吸センサー、ガス濃度センサー、気流センサー、湿度センサー、ドア開閉センサー、重量センサー、ＲＦセンサー、気圧センサー、循環器活動センサー、磁場センサー、放射線センサー、およびそれらの任意の組合せ、から成るグループから選択された、少なくとも１つのセンサーを含む、請求項１に記載のＰＮＴＩ。
【請求項６】
前記ＰＮＴＩは、前記少なくとも１つのセンサーから受信する情報に応答して、少なくとも１つの穿孔を開閉するように構成された機構をさらに含む、請求項５に記載のＰＮＴＩ。
【請求項７】
前記ＰＮＴＩは、前記少なくとも１つの穿孔を通過する気流を制御するように構成されたＣＰＵをさらに含む、請求項６に記載のＰＮＴＩ。
【請求項８】
気流を減速させて穏やかにするために構成された空気攪乱手段（ＡＴＭ）を追加として含む、請求項１に記載のＰＮＴＩ。
【請求項９】
前記ＰＮＴＩの少なくとも一部は、振動吸収、吸音、液体抵抗性、耐火性、リサイクル可能材料、使い捨て材料、少なくとも一部透明材料、可撓性材料およびそれらの任意の組合せ、から成るグループから選択された材料を含む、請求項１に記載のＰＮＴＩ。
【請求項１０】
以下のうちの少なくとも１つ、つまり
ａ．前記ＰＮＴＩは、生命維持装置、管または両方をドッキングするか、または通すために構成された少なくとも１つのポートを含む、
ｂ．前記ＰＮＴＩは、前記新生児を入れるための少なくとも１つの開口部を含む、
ｃ．前記ＰＮＴＩは、取扱者の手が入れられるように構成された少なくとも１つの開口部を含む、および
ｄ．前記ＰＮＴＩは、前記外囲容器の外側に可逆的に取付け可能な無孔層を追加として含む、
が当てはまる、請求項１に記載のＰＮＴＩ。
【請求項１１】
前記ＰＮＴＩと流体連結した少なくとも１つの温度調節ベント（ＴＲＶ）を追加として含む、請求項１に記載のＰＮＴＩ。
【請求項１２】
前記ＰＮＴＩは、少なくとも１つの空気再循環機構（ＡＲＭ）と空気連結されており、前記ＡＲＭは、
ａ．前記ＰＮＴＩの外部環境から前記ＰＮＴＩの内部環境に向かう気流を収集するための少なくとも１つの空気吸込み口、および
ｂ．前記ＰＮＴＩの内部環境から流れた空気を収集するための少なくとも１つの再循環された空気の吹き出し口、
を含む、請求項１に記載のＰＮＴＩ。
【請求項１３】
以下のうちの少なくとも１つ、つまり
ａ．前記ＰＮＴＩは追加として、再循環された気流、前記ＰＮＴＩの外部環境からの気流、前記ＰＮＴＩの内部環境に向かって流れる空気、およびそれらの任意の組合せ、から成るグループから選択された少なくとも１つの気流を調節するための少なくとも１つの気流調整器を含む、
ｂ．前記ＰＮＴＩは追加として、少なくとも１つの空気バッフル、少なくとも１つのエアフィルター、およびそれらの任意の組合せ、から成るグループから選択されたものを含む、
ｃ．前記ＰＮＴＩは、中にいる前記新生児の前記位置を迂回するように気流ドリフトを向けるように構成されている、および
ｄ．前記ＰＮＴＩは、外部から供給された加圧ガスと流体連結されている、
が当てはまる、請求項１に記載のＰＮＴＩ。
【請求項１４】
前記ＰＮＴＩは、ＭＲＩで使えるカートと相互接続されている、請求項１に記載のＰＮＴＩ。
【請求項１５】
前記ＰＮＴＩは、通気モジュール、加湿器、管、空気清浄器、加熱／冷却装置、濃縮薬剤投与装置、およびそれらの任意の組合せ、から成るグループから選択された外部装置と連結された、少なくとも１つの空気入口を含む、請求項１に記載のＰＮＴＩ。
【請求項１６】
以下のうちの少なくとも１つ、つまり
ａ．穿孔のうちの少なくとも１つは、信号を受信して、前記穿孔を少なくとも一部開くか、または閉じることによって応答するように構成されている、
ｂ．穿孔のうちの少なくとも１つは、サイズ、量、位置、およびそれらの任意の組合せ、から成るグループから選択された方法で調整可能である、
ｃ．穿孔のうちの少なくとも１つは、少なくとも一部密封可能である、
ｄ．穿孔のうちの少なくとも１つは、操作可能なバッフルに連結されている、
ｅ．穿孔のうちの少なくとも１つは、少なくとも１つのエアフィルターを含む、
ｆ．穿孔のうちの少なくとも１つは、所定の音を減衰するためのサイズおよび形状を用いて構成されている、ならびに
ｇ．穿孔のうちの少なくとも１つは、中にいる前記新生児の前記位置を迂回するように前記気流ドリフトを向けるように構成されている、
が当てはまる、請求項１に記載のＰＮＴＩ。
【請求項１７】
前記ＰＮＴＩは、音減衰手段を含む、請求項１に記載のＰＮＴＩ。
【請求項１８】
前記ＰＮＴＩの壁の少なくとも一部は、その間に導管を形成する内壁および外壁を含む、二重ジャケット壁構成（ＤＪＷ）であり、前記導管は、事前に定義された幅（ｗ）および長さ（ｌ）を有し、前記内壁および前記外壁は両方とも、少なくとも一部穿孔されていて、それにより、前記ＤＪＷは、導管内の前記主縦軸に沿って、前記気流を促進する、請求項１に記載のＰＮＴＩ。
【請求項１９】
前記導管は、音減衰手段、断熱材、振動低減手段、ＲＦコイル、導電材料、非導電材料、またはそれらの任意の組合せを含む、請求項１８に記載のＰＮＴＩ。
【請求項２０】
前記幅（ｗ）および前記長さ（ｌ）の少なくとも一部は、前記縦軸に沿って変化する値である、請求項１８に記載のＰＮＴＩ。
【発明の詳細な説明】
【技術分野】
【０００１】
本発明は、一般に、通気されて温度調節される新生児環境に関し、詳細には、保育器およびそれに関連したシステムに関する。より詳細には、本発明は、ＭＲＩで使える受動型新生児搬送用保育器（ＰＮＴＩ）に関する。
【背景技術】
【０００２】
新産児、特に新生児を治療して、それに対処する場合、新生児を生命維持状態に保つことが必要不可欠である。これらは、新生児を一定の適温に維持すること、および、適正な割合の包含ガスを有する、新鮮な空気を絶え間なく供給することを含む。
【０００３】
医療施設では新生児の環境を管理するために、新生児は通常、新生児の健康状態および環境が管理および監視されている保育器に入れられる。酸素投与は、ヘッドフードもしくは鼻カニューレによる酸素補給、または持続的気道陽圧法（ＣＰＡＰ）もしくは人工呼吸器を通してさえ供給できる。加えて、様々な包含ガスの適切な濃度を確実にするために、空気を保育器内で再循環させて回すことが重要である。多くの場合、循環する空気が加湿され、および／または保育器を温めるために使用される。
【０００４】
閉じた保育器では、最適な温度環境を提供することが、生存および成長のためだけでなく、様々な生理的機能の安定性のためにも最重要である。
【０００５】
当技術分野では、保育器内を循環する空気の加熱を調節するための最も一般的な方法は、ヒーターに供給される電力を制御することであるとされていた。参照により本明細書に組み込まれる特許文献１は、本発明に従って構築された保育器を開示しており、その壁内にアクセスドアを有するフードおよび、フードがその上に取り付けられて、フードと共にエンクロージャを画定するデッキを有する基部を含む。デッキは、空気がそこからエンクロージャに入って、エンクロージャから出る、開口部を有する。また、本保育器では、基部内に空気を加熱するためのヒーター、ならびにヒーターに空気を供給して、加熱された空気をヒーターから開口部の少なくとも１つを通ってエンクロージャに送るための、および空気をエンクロージャから開口部の少なくとも１つを通ってヒーターに戻すためのファンも含む。本発明に従って構築された保育器は、アクセスドアが開いている時を感知するためのアクセスドアの動きに反応する感知手段および、アクセスドアが開いている場合に、ヒーターによって生成される熱を増大させ、ファンの速度を増大させるための感知手段に応答する制御手段をさらに含む。類似の技術が特許文献２および特許文献３で開示されており、それらも参照により本明細書に組み込まれる。同様に参照によって本明細書に組み込まれる特許文献４は、温度調節された空気が、保育器の基部内の空気吸込み口ダクトから上方へ流れる、新生児の保育器を開示しており、この流れは、比較的うるさくて、新生児の安らぎを妨げ得る。
【０００６】
当技術分野では、騒音は、新生児にとって、発達を妨げ得るストレスを誘発する要因であると十分に立証されている。Ｎｅｏｎａｔａｌ  Ｎｅｔｗｏｒｋ，２００９  ２８（３）：１６５−１７３にＢｒｏｗｎ  Ｇ．により「ＮＩＣＵ  ｎｏｉｓｅ  ａｎｄ  ｔｈｅ  ｐｒｅｔｅｒｍ  ｉｎｆａｎｔ」という表題で公開されているように、長期にわたる過度の騒音にさらされた早期産児は、聴力低下、脳感覚の発達異常、ならびに会話および言語障害が増大するリスクがある。ＮＩＣＵにおける騒音レベルを低下させると、病気の新生児の生理的安定性を改善でき、従って、乳児の脳発達の可能性を増大させる。
【０００７】
比較的うるさいという不利益のほかに、保育器と連結される、当技術分野で既知のソリューションを含む、追加された機械的部品は、保育器が取り囲む全容積を拡大する。これは、最適撮像空間が制限されていて、撮像される患者の正確な位置が最適撮像を提供するために重要な、磁気共鳴装置またはＣＴスキャナなどの、多くの撮像装置において好都合ではない。
【０００８】
従って、効果的で、安全で、静かな、ＭＲＩで使える、通気されて温度調節される新生児環境を、とりわけ、撮像システムを対象とした場合に、提供することは、依然として長年にわたる要求である。
【先行技術文献】
【特許文献】
【０００９】
【特許文献１】米国特許第ＲＥ３８４５３号
【特許文献２】米国特許第６０３６６３４号
【特許文献３】米国特許第６６４１５２１号
【特許文献４】米国特許第６５１１４１４号
【発明の概要】
【課題を解決するための手段】
【００１０】
本発明は、新生児の体温調節に有用であり、新生児を収容するためのサイズおよび形状を用いて構成された内容積を含み、その内容積が、近位端および反対側の遠位端をもつ主縦軸を有する外囲容器によって画定され、外囲容器は、少なくとも一部穴があけられている、受動型新生児搬送用保育器（ＰＮＴＩ）を提供する。
【００１１】
ＰＮＴＩが独立して通気される医療機器によって通気されるように構成されている、前述のＰＮＴＩを開示することは、本発明の別の目的である。
【００１２】
医療機器が、保育器、カート、磁気共鳴装置（ＭＲＤ）、ＣＴスキャナ、Ｘ線装置、超音波検査装置、エラストグラフィ、蛍光透視装置、光音響撮像装置、サーモグラフィ装置、機能的近赤外分光法、医療用写真装置および核医学機能的撮像装置、陽電子放出断層撮影（ＰＥＴ）装置、手術台、治療台、ならびにそれらの任意の組合せ、から成るグループから選択される、前述のＰＴＩを開示することは、本発明の別の目的である。
【００１３】
ＰＮＴＩが、ＭＲＤ穴に挿入される、医療機器の患者台に置かれる、医療機器の患者台の代わりに置かれる、およびそれらの任意の組合せ、から成るグループから選択されたところに置かれるためのサイズおよび形状を用いて構成されている、前述のＰＴＩを開示することは、本発明の別の目的である。
【００１４】
以下のうちの少なくとも１つ、つまり（ａ）外囲容器が、単方向、双方向およびそれらの任意の組合せ、から成るグループから選択された方法で透過性がある、（ｂ）穿孔が、通気に対して少なくとも一部、透過性がある、ならびに（ｃ）ＰＮＴＩが、アルファ、ベータ、ガンマ、Ｘ線、磁気、電離、熱、赤外線、音、およびそれらの任意の組合せ、から成るグループから選択された放射に対して透過性がある、が当てはまる、前述のＰＴＩを開示することは、本発明の別の目的である。
【００１５】
気流を減速させて穏やかにするための空気攪乱手段（ＡＴＭ）を追加として含む、前述のＰＴＩを開示することは、本発明の別の目的である。
【００１６】
ＰＮＴＩの少なくとも一部がＭＲＩで使える材料で作られている、前述のＰＴＩを開示することは、本発明の別の目的である。
【００１７】
ＰＮＴＩの少なくとも一部が、振動吸収、吸音、液体抵抗性、耐火性、リサイクル可能材料、使い捨て材料、少なくとも一部透明材料、可撓性材料およびそれらの任意の組合せ、から成るグループから選択された材料を含む、前述のＰＴＩを開示することは、本発明の別の目的である。
【００１８】
以下のうちの少なくとも１つ、つまり（ａ）ＰＮＴＩが、生命維持装置、管または両方をドッキングするか、または通すために構成された少なくとも１つのポートを含む、（ｂ）ＰＮＴＩが、新生児を入れるための少なくとも１つの開口部を含む、（ｃ）ＰＮＴＩが、取扱者の手が入れられるように構成された少なくとも１つの開口部を含む、および（ｄ）ＰＮＴＩが、外囲容器の外側に可逆的に取付け可能な無孔層を追加として含む、が当てはまる、前述のＰＴＩを開示することは、本発明の別の目的である。
【００１９】
ＰＮＴＩと流体連結した少なくとも１つの温度調節ベント（ＴＲＶ）を追加として含む、前述のＰＴＩを開示することは、本発明の別の目的である。
【００２０】
以下のうちの少なくとも１つ、つまり（ａ）ＴＲＶが端部の少なくとも一方に配置されていて、さらに、ＴＲＶが、空気をその端部から反対側の端部の方に概ね軸に沿って流すように構成され、さらに、ＰＮＴＩが、新生児を軸と平行に収容するための、サイズおよび形状を用いて、構成されている、（ｂ）ＴＲＶが、少なくとも１つの第１の通気モジュール、少なくとも１つの第１の加熱／冷却モジュール、第１の通気モジュールまたは第１の加熱／冷却モジュールのいずれかに隣接して配置された少なくとも１つのエアフィルターおよびそれらの任意の組合せ、から成るグループから選択されたモジュールである、（ｃ）ＴＲＶが、加熱された空気、冷却された空気、加湿された空気、ろ過された空気、室温空気、所定のガス濃度の空気、およびそれらの任意の組合せ、から成るグループから選択された空気を、ＰＮＴＩに導入するように構成された少なくとも１つの通気モジュールを含む、（ｄ）ＴＲＶが、温度、湿度、圧力、浮遊微小粒子含量、ガス濃度、およびそれらの任意の組合せ、から成るグループから選択された空気の品質に対して、その品質を所定の値または値の範囲に維持するように構成された、フィードバック機構を含む、（ｅ）ＴＲＶが、ローターの軸と垂直に回転する少なくとも１つのローターを有する、ファンであり、さらに、その軸がＰＮＴＩの主縦軸と平行に配置されている、（ｆ）ＴＲＶが、直線気流、乱気流または両方を、ＰＮＴＩ内容積の少なくとも一部内に供給するように構成されている、（ｇ）ＰＮＴＩ、ＴＲＶまたは両方が、ＴＲＶ、ＰＮＴＩ内での空気の動き、ＭＲＤによって生成される音、ＰＮＴＩの外部の音、ＰＮＴＩに空気が入ることによって生成される音、およびそれらの任意の組合せ、から成るグループから選択されたものの音を少なくとも一部、減衰するように構成された、音減衰手段を含む、（ｈ）ＴＲＶが、可動式基部、少なくとも１つの支持、少なくとも１つのＰＮＴＩ端部、およびそれらの任意の組合せ、から成るグループから選択されたところに配置された少なくとも１つの通気モジュールから成り、さらに、通気モジュールが少なくとも１つの管によってＰＮＴＩに連結されている、（ｉ）ＰＮＴＩが中央処理装置（ＣＰＵ）を含み、さらに、ＣＰＵが、ＴＲＶ、少なくとも１つのセンサーから受信した信号に応答することによるＴＲＶの制御、ユーザーによって定義された値に従ったＴＲＶの制御、新生児の所定の健康状態に従ったＴＲＶの制御、およびそれらの任意の組合せ、から成るグループから選択されたものを制御するように構成されている、ならびに（ｊ）ＴＲＶが、端部の一方に配置された１つの第１のＴＲＶおよび反対側の端部に配置された少なくとも１つの第２のＴＲＶ、ＰＮＴＩ内部に配置された少なくとも１つのＴＲＶ、ＰＮＴＩの外部に配置されて、管によってＰＮＴＩと流体連結されている、少なくとも１つのＴＲＶ、およびＰＮＴＩと流体連結された少なくとも１つのＴＲＶ、およびＰＮＴＩから遠隔に配置されている少なくとも１つのＴＲＶ、から成るグループから選択されたものである、が当てはまる、前述のＰＴＩを開示することは、本発明の別の目的である。
【００２１】
ＰＮＴＩが、少なくとも１つの空気再循環機構（ＡＲＭ）と空気連結されており、ＡＲＭが、（ａ）ＰＮＴＩの外部環境からＰＮＴＩの内部環境に向かう気流を収集するための少なくとも１つの空気吸込み口、および（ｂ）ＰＮＴＩの内部環境から流れた空気を収集するための少なくとも１つの再循環された空気の吹き出し口、を含む、前述のＰＴＩを開示することは、本発明の別の目的である。
【００２２】
以下のうちの少なくとも１つ、つまり（ａ）ＰＮＴＩが追加として、再循環された気流、ＰＮＴＩの外部環境からの気流、ＰＮＴＩの内部環境に向かって流れる空気、およびそれらの任意の組合せ、から成るグループから選択された少なくとも１つの気流を調節するための少なくとも１つの気流調整器を含む、（ｂ）ＰＮＴＩが追加として、少なくとも１つの空気バッフル、少なくとも１つのエアフィルター、およびそれらの任意の組合せ、から成るグループから選択されたものを含む、（ｃ）ＰＮＴＩが、中にいる新生児の位置を迂回するように気流ドリフトを向けるように構成されている、ならびに（ｄ）ＰＮＴＩが、外部から供給された加圧ガスと流体連結されている、が当てはまる、前述のＰＴＩを開示することは、本発明の別の目的である。
【００２３】
ＰＮＴＩが、ＭＲＩで使えるカートと相互接続されている、前述のＰＴＩを開示することは、本発明の別の目的である。
【００２４】
ＰＮＴＩが、外部通気モジュール、外部加湿器、管、外部空気清浄器、外部加熱／冷却装置、外部濃縮薬剤投与装置、およびそれらの任意の組合せ、から成るグループから選択されたものと連結された、少なくとも１つの空気入口を含む、前述のＰＴＩを開示することは、本発明の別の目的である。
【００２５】
以下のうちの少なくとも１つ、つまり（ａ）穿孔のうちの少なくとも１つが、信号を受信して、その穿孔を少なくとも一部開くか、または閉じることによって応答するように構成されている、（ｂ）穿孔のうちの少なくとも１つが、サイズ、量、位置、およびそれらの任意の組合せ、から成るグループから選択された方法で調整可能である、（ｃ）穿孔のうちの少なくとも１つが、少なくとも一部密封可能である、（ｄ）穿孔のうちの少なくとも１つが、操作しやすいバッフルに連結されている、（ｅ）穿孔のうちの少なくとも１つが、少なくとも１つのエアフィルターを含む、（ｆ）穿孔のうちの少なくとも１つが、所定の音を減衰するためのサイズおよび形状を用いて構成されている、ならびに（ｇ）穿孔のうちの少なくとも１つが、中にいる新生児の位置を迂回するように気流ドリフトを向けるように構成されている、が当てはまる、前述のＰＴＩを開示することは、本発明の別の目的である。
【００２６】
ＰＮＴＩが、ＰＮＴＩに入る気流の音、ＭＲＤによって生成される音、ＰＮＴＩ内の気流の音、外部環境によって生成される音、およびそれらの任意の組合せ、から成るグループから選択されたものを少なくとも一部、減衰するように構成された、音減衰手段を含む、前述のＰＴＩを開示することは、本発明の別の目的である。
【００２７】
ＰＮＴＩが、温度センサー、動きセンサー、呼吸センサー、ガス濃度センサー、気流センサー、湿度センサー、ドア開閉センサー、重量センサー、ＲＦセンサー、気圧センサー、循環器活動センサー、磁場センサー、放射線センサー、およびそれらの任意の組合せ、から成るグループから選択された、少なくとも１つのセンサーを含む、前述のＰＴＩを開示することは、本発明の別の目的である。
【００２８】
以下のうちの少なくとも１つ、つまり（ａ）ＰＮＴＩが中央処理装置（ＣＰＵ）を含む、（ｂ）ＰＮＴＩが追加として、少なくとも１つのセンサーからの情報、気圧、温度、湿度、音レベル、ガス濃度、浮遊微小粒子数、およびそれらの任意の組合せ、から成るグループから選択された、ＰＮＴＩ内容積のパラメータの所定の値に応答して、穿孔を通過する気流を制御するように構成されたＣＰＵを含む、が当てはまる、前述のＰＴＩを開示することは、本発明の別の目的である。
【００２９】
ＰＮＴＩの壁の少なくとも一部が、内壁および外壁を含む、二重ジャケット壁構成（ＤＪＷ）であり、ＤＪＷが、少なくとも一部穴のあいた内壁および完全で穴のあいていない外壁を含むか、または外壁および内壁が両方とも、少なくとも一部穴があいていて、それにより、ＤＪＷが、事前に定義された幅（ｗ）および長さ（ｌ）を有する導管内の主縦軸に沿って、気流を促進する、前述のＰＴＩを開示することは、本発明の別の目的である。
【００３０】
二重ジャケット壁の間の導管が、音減衰手段、断熱材、振動低減手段、ＲＦコイル、導電材料、非導電材料、およびそれらの任意の組合せ、から成るグループから選択されたものを含む、前述のＰＴＩを開示することは、本発明の別の目的である。
【００３１】
幅および長さ（ｗ，ｌ）の少なくとも一部が、縦軸に沿って等しい、縦軸に沿って変化する、およびそれらの任意の組合せ、から成るグループから選択されている、前述のＰＴＩを開示することは、本発明の別の目的である。
【００３２】
本発明は、（ａ）新生児の体温調節に有用であり、新生児を収容するためのサイズおよび形状を用いて構成された内容積を画定する外囲容器を含み、近位端および反対側の遠位端をもつ主縦軸を有し、外囲容器が、少なくとも一部穴があけられている、受動型新生児搬送用保育器（ＰＮＴＩ）を取得すること、（ｂ）新生児をＰＮＴＩ内に収容すること、（ｃ）ＰＮＴＩを温度調節された環境に導入すること、ならびに同じ操作を行うこと、によって特性化された、新生児を受動的に体温調節するための方法を提供する。
【００３３】
ＰＮＴＩを、独立して通気される医療機器によって通気されるように通気するステップを追加として含み、医療機器が、保育器、カート、磁気共鳴装置（ＭＲＤ）、ＣＴスキャナ、Ｘ線装置、超音波検査装置、エラストグラフィ、蛍光透視装置、光音響撮像装置、サーモグラフィ装置、機能的近赤外分光法、医療用写真装置および核医学機能的撮像装置、陽電子放出断層撮影（ＰＥＴ）装置、手術台、治療台、ならびにそれらの任意の組合せ、から成るグループから選択される、前述の方法を開示することは、本発明の別の目的である。
【００３４】
本発明は、（ａ）新生児の体温調節に有用であり、新生児を収容するためのサイズおよび形状を用いて構成された内容積を画定する外囲容器を含み、近位端および反対側の遠位端をもつ主縦軸を有し、外囲容器が、少なくとも一部穴があけられている、受動型新生児搬送用保育器（ＰＮＴＩ）を取得すること、（ｂ）新生児をＰＮＴＩ内に収容すること、ならびに（ｃ）ＰＮＴＩを温度調節された環境に導入すること、のステップを含む、新生児の体温調節のための標準看護を提供し、ＰＮＴＩが、少なくとも一部、穿孔を通して温度調節され、さらに、以下のうちの少なくとも１つ、つまり（ａ）ＰＮＴＩ内の騒音レベルが６０デシベル未満である、（ｂ）ＰＮＴＩ内の騒音レベルが４５デシベル未満である、（ｃ）ＰＮＴＩ内の温度が、設定温度から最大でも２℃高いか、または低い、（ｄ）ＰＮＴＩ内のＣＯ２濃度が４％以下である、（ｅ）ＰＮＴＩ内のＯ２濃度が３０体積％を下回らず、かつ４０体積％を超えない、（ｆ）ＰＮＴＩ内のマットレスの上の気流速度が０．３５ｍ／秒以下である、（ｇ）ＰＮＴＩ利用時における新生児の体温調節に関連した合併症の総計が、新生児の体温調節合併症の平均値のｂ分の１であり、ｂは１．０５以上である、（ｈ）ＭＲＩ中のＰＮＴＩ利用時における患者の騒音由来のストレスからの唾液コルチゾールレベル指標の平均値が、ＭＲＩ中の平均値のｎ分の１であり、ｎは１．０５以上である、（ｉ）患者あたりのＭＲＩ繰返し数の平均数が、ＰＮＴＩ利用時には、患者のＭＲＩ中のＭＲＩ繰返しの平均数のｐ分の１であり、ｐは１．０５以上である、（ｊ）ＭＲＩ中のＰＮＴＩ利用時における患者の空間関連ストレスからの唾液コルチゾールレベル指標の平均値が、ＭＲＩ中の平均値のｑ分の１であり、ｑは１．０５以上である、（ｋ）ＰＮＴＩが、ＰＮＴＩの内容積内に蓄積された２００ｍｌまでの漏出量の発生時に継続して安全に使用される、（ｌ）ＰＮＴＩが、通常の使用時に１０°傾けられた場合、および搬送中に２０°傾けられた場合に安定性を保つ、（ｍ）ＰＮＴＩが、１００Ｎ以下の力に遭遇しても転倒しない、（ｎ）ＰＮＴＩ利用時における患者のＭＲＩ関連の転倒インシデントの平均数が、患者のＭＲＩ関連の転倒インシデントの平均のｒ分の１であり、ｒは１．０５以上である、（ｏ）電気機器システムを含む、ＰＮＴＩの内容積内の放射電磁界が、ＥＭＣ（電磁適合性）に対する副通則の周波数範囲に対して最大で３Ｖ／ｍのレベルであり、さらに、電気機器が、製造業者によって指定された通りにその意図した機能を実行しているか、またはＥＭＣに対する副通則の周波数範囲に対して最大で１０Ｖ／ｍのレベルで安全損失を引き起こすことなく機能しなくなる、ならびに（ｐ）ＰＮＴＩ利用時に、製造業者、取扱者、ユーザー、操作者、医療職員、医療施設、医療施設経営者またはそれらの任意の組合せから成るグループから選択されたものの保険の支払い要求の平均数が、患者のＭＲＩ関連の保険支払い要求のｖ分の１であり、ｖは１．０５以上である、が当てはまる。
【００３５】
好ましい実施形態の以下の詳細な記述では、本明細書の一部を形成する添付の図が参照され、図では、本発明が実施され得る特定の実施形態が具体例として示されている。他の実施形態が利用され得、本発明の範囲を逸脱することなく、構造変更が行われ得ることが理解される。本発明は、これらの具体的詳細の一部または全部なしで、請求項に従って実施され得る。明確にすることを目的として、本発明に関連した技術分野で知られている技工物は、本発明を不必要に曖昧にしないように、詳細には説明されていない。添付の図では、本発明を理解するため、および実際にそれがどのように実装され得るかを見るために、いくつかの好ましい実施形態がここで、限定されない例としてのみ、添付の図を参照して、説明される。
【図面の簡単な説明】
【００３６】
【図１Ａ】受動型新生児搬送用保育器（ＰＮＴＩ）を円筒形実施形態で一定の尺度から外れて示している。
【図１Ｂ】受動型新生児搬送用保育器（ＰＮＴＩ）を矩形実施形態で一定の尺度から外れて示している。
【図２Ａ】バッフルの周囲に気流を有する、ＰＮＴＩの一実施形態を側断面図で一定の尺度から外れて示している。
【図２Ｂ】気流がフィルターを通って流れる、ＰＮＴＩの一実施形態を側断面図で一定の尺度から外れて示している。
【図３】ＰＮＴＩへ流れる再循環された空気の異なる温度におけるパーセント変化を一定の尺度から外れて示している。
【図４Ａ】ＰＮＴＩのための異なる穿孔および／または開口部の例を示す、ＰＮＴＩの一部を一定の尺度から外れて示している。
【図４Ｂ】ＰＮＴＩの穿孔および／または開口部の様々な実施形態を示す、本発明の一実施形態を側断面図で一定の尺度から外れて示している。
【図５Ａ】穿孔の異なる実施形態を含む、ＰＮＴＩ壁の断面カットを一定の尺度から外れて示している。
【図５Ｂ】穿孔の異なる実施形態を含む、ＰＮＴＩ壁の断面カットを一定の尺度から外れて示している。
【図５Ｃ】穿孔の異なる実施形態を含む、ＰＮＴＩ壁の断面カットを一定の尺度から外れて示している。
【図５Ｄ】穿孔の異なる実施形態を含む、ＰＮＴＩ壁の断面カットを一定の尺度から外れて示している。
【図５Ｅ】穿孔の異なる実施形態を含む、ＰＮＴＩ壁の断面カットを一定の尺度から外れて示している。
【図５Ｆ】穿孔の異なる実施形態を含む、ＰＮＴＩ壁の断面カットを一定の尺度から外れて示している。
【図５Ｇ】穿孔の異なる実施形態を含む、ＰＮＴＩ壁の断面カットを一定の尺度から外れて示している。
【図６Ａ】通気モジュールを含む、ＰＮＴＩの一実施形態を一定の尺度から外れて示している。
【図６Ｂ】ＰＮＴＩの少なくとも一部の上に穿孔を含み、さらに、加熱装置、攪乱装置、およびバッフルを備えた、通気モジュールを含む、ＰＮＴＩの一実施形態を一定の尺度から外れて示している。
【図７Ａ】ＰＮＴＩが穴のあいた２つの外囲容器を含み、通気モジュールに連結されている、本発明の一実施形態を一定の尺度から外れて示している。
【図７Ｂ】ＰＮＴＩが２つの外囲容器を含み、それらの間の距離が可変である、本発明の一実施形態を一定の尺度から外れて示している。
【図８】直線流および乱流を利用した温度変更に対する、時間における差（ΔＴ）を一定の尺度から外れて示している。
【図９】ＰＮＴＩが、撮像装置に挿入された通気モジュールを含む、本発明の一実施形態を一定の尺度から外れて示している。
【図１０Ａ】二重ジャケットＰＮＴＩが複数の外囲容器によって構築されて、それらの間に空気路を作る、本発明の一実施形態を一定の尺度から外れて示している。
【図１０Ｂ】空気の流入および流出（２０２Ｂ、２０２Ａ）を提供する、幅（ｗ）が導管（２５３）に沿って等しい、壁（２５０、２５１）の上部（乳児の天井側）二重ジャケットの一部の断面を概略的に示している。
【図１０Ｃ】ＰＮＴＩの壁（２５０、２５１）の上部（乳児の天井側）二重ジャケットの断面部分を、限定されず、一定の尺度から外れて概略的に示している。幅は、当初の幅（ｗ）が狭く、その後、幅が増加する（Ｗ）ように変化する。
【図１０Ｄ】ＰＮＴＩの壁（２５０、２５１）の上部（乳児の天井側）二重ジャケットの断面部分を、限定されず、一定の尺度から外れて、概略的に示している。温度調節された気流（１０８）が保育器（１０１）の近位側から導管（２５３）を経て流れる。幅は、当初の幅（Ｗ）が導管に沿って幅ｗまで減少するように変化する。
【図１１】ＰＮＴＩが、独立して通気される医療機器（例えば、ＭＲＩ）内に挿入されている、本発明の一実施形態を概略的に示している。
【図１２】ＰＮＴＩが、医療機器内に挿入された通気モジュールを追加で含む、本発明の一実施形態を概略的に示している。
【図１３Ａ】カート上のＰＮＴＩの側面図を一定の尺度から外れて示している。
【図１３Ｂ】少なくとも１つの通気モジュールに連結された、カートと連結されたＰＮＴＩの一実施形態の側面図を一定の尺度から外れて示している。
【図１３Ｃ】ＰＮＴＩがカートと可逆的に連結されて、カートが通気モジュールを含む、本発明の一実施形態の側面図を一定の尺度から外れて示している。
【発明を実施するための形態】
【００３７】
好ましい実施形態の以下の詳細な記述では、本明細書の一部を形成する添付の図が参照され、図では、本発明が実施され得る特定の実施形態が具体例として示されている。他の実施形態が利用され得、本発明の範囲を逸脱することなく、構造変更が行われ得ることが理解される。本発明は、これらの具体的詳細の一部または全部なしで、請求項に従って実施され得る。明確にすることを目的として、本発明に関連した技術分野で知られている技工物は、本発明を不必要に曖昧にしないように、詳細には説明されていない。
【００３８】
本発明の本質は、受動的な体温調節をする新生児搬送用保育器およびその方法を提供することである。
【００３９】
用語「新生児の収容手段」は以下、新生児を保育器内の位置にその縦軸と平行に入れておくために有用な任意の手段を指す。この位置は、実質的に水平に、（仰向けに、うつ伏せに、または横向きに）横たわっている位置、少なくとも一部もたれかかった位置、または少なくとも一部座っている位置であり得る。
【００４０】
用語「温度調節された環境」は以下、その気温が、±２℃の誤差の、一定で事前定義された温度の環境を指す。
【００４１】
用語「沿って（ａｌｏｎｇ）」は以下、並流、回転するコイル状の流れ、またはそれらの任意の組合せを指す。
【００４２】
用語「流体連結」は以下、２つの物体の間で少なくとも一方向に物質（気体、流体または固体）の流れを可能にする、２つの物体間の連絡を指す。
【００４３】
用語「通気モジュール」は以下、空気を循環させて、それを均等に、または定義された方向に、行き渡らせる、モジュールを指す。より詳細には、この用語は、ファン、ジェット、送風機、圧縮機、ポンプ、エアストリーマ、プロペラ、換気装置、空気冷却器（ｔｈｅｒｍａｎｔｉｄｏｔｅ）、軸流ファン、遠心ファン、横流ファン、コアンダ効果を使用して生成される気流などに関連する。
【００４４】
用語「加熱／冷却モジュール」は以下、加熱もしくは冷却のいずれか、または両方を行うことによって温度を制御するモジュールを指す。より詳細には、この用語は、空調システム、赤外線ヒーター、水／オイル加熱ラジエーター、コイルヒーター、オープンコイル空気加熱器、円形オープンコイル空気加熱器、対流加熱器、直線または形成管状加熱器、石英管空気加熱器、コンデンサ型加熱器、ペルティエ（Ｐｅｌｌｅｔｉｅｒ）モジュールなどに関連する。
【００４５】
用語「バッフル」は以下、低配向または妨害する羽根またはパネルを指す。より詳細には、この用語は、縦流バッフル、衝突バッフル、オリフィスバッフル、単一セグメントバッフル、二重セグメントなどに関連する。
【００４６】
用語「空気攪乱手段」は以下、気流を制御し、弱め、調節し、かつ穏やかにする任意の手段を指す。より詳細には、この用語は、ファン、複数ファン配置またはそのカスケード接続、空気ポンプ、ダイソン型の羽根の無いエアマルチプライアー、通気器具などの、事前に能動的な部材、および／または、テクスチャ化されたろ過器（ｔｅｘｔｕｒｉｚｅｄ  ｓｔｒａｉｎｅｒ）、連続バリア内の湾曲した導管などの、受動的な部材に関連する。
【００４７】
用語「乱流」は以下、ランダムに変動する局所速度および圧力を有する流体の動きを指す。流体（例えば、液体、気体）の動きは、全体的な流れは一方向であるが、乱れを示し、不規則なパターンで動いている底流（ｓｕｂｃｕｒｒｅｎｔ）を有することにより特性化される。乱流では、あるポイントにおける流体速度は、規模および方向の両方で連続して変動する。
【００４８】
用語「直線流」は以下、液体の層流または層流内の気体（例えば、空気）を指し、層流内で、流体は平坦な経路または層内を移動する。乱れを示していない流れは、層流と呼ばれる。
【００４９】
用語「ベンチュリー効果」は以下、流体がパイプの狭窄部分を流れるときに結果として生じる流体または気体の圧力における減少を指す。断面積が減少すると、静圧がそれに応じて減少して、流体または気体の速度が増加する。
【００５０】
用語「近位側」は以下、中に置かれた新生児の頭部に隣接しているＰＮＴＩの縦軸の側を指す。
【００５１】
用語「遠位側」は以下、近位側と反対の縦軸の側を指す。
【００５２】
用語「新生児」は以下、新生児、新産児、乳児、幼児、子供、青年、成人、高齢者、患者、個人、被験者、入院患者、病人、外来患者、ケース（ｃａｓｅ）、クライアントなど、から成るグループから選択された用語を、区別しないで指し、さらに、この用語は、人、動物、またはサンプルをその全体または一部として指す。
【００５３】
用語「透明材料」は以下、ポリメチルメタクリレート、熱可塑性ポリウレタン、ポリエチレン、ポリエチレンテレフタレート、イソフタル酸変性ポリエチレンテレフタレート、グリコール変性ポリエチレンテレフタレート、ポリプロピレン、ポリスチレン、アクリル、ポリアセテート、酢酸セルロース、ポリカーボネート、ナイロン、ガラス、ポリ塩化ビニルなどの材料を区別しないで指す。さらに、いくつかの実施形態では、この材料の少なくとも一部が、金属線などの、強度および／または伝導性の手段のための非透明材料と共に埋め込まれている。
【００５４】
用語「センサー」は以下、信号または刺激（熱、圧力、光、動き、音、湿度など）を受けて、それに独特の方法で応答する任意の装置を区別しないで指す。この方法は、例えば、他の装置の活動／不活動を引き起こすこと、インジケータ（視覚、聴覚または知覚）の活動／不活動を引き起こすこと、センサーによって受信された入力の表示を引き起こすこと、中央処理装置におけるデータ記憶／入力の分析を引き起こすことなど、であり得る。
【００５５】
用語「生命維持装置」は以下、新生児の生命維持ならびに／または新生児の身体的および生理学的健康の向上を支援する、環境状態、医学的状態またはその環境もしくは医学的状態の監視を提供する任意の要素を区別しないで指す。この要素は、（ａ）任意の医療機器、つまり患者に関連して医療関係者によって使用される、全ての装置、チューブ、コネクタ、ワイヤー、液体搬送装置、針、センサー、モニターなど。この機器は、例えば、ビリルビンライト、ＩＶ（静脈内）ポンプ、ヘッドフードまたは鼻カニューレによる酸素補給システム、持続的気道陽圧システム、栄養補給チューブ、臍動脈カテーテル、流体移送装置、血液ろ過システム、血液透析システム、ＭＲＩ対照液（ｃｏｎｔｒａｓ  ｓｏｌｕｔｉｏｎ）注入、新生児撮像などである、（ｂ）例えば、ＥＣＧ（心電図記録法）モニター、血圧モニター、心拍呼吸モニター、パルスオキシメーターなど、の体温、呼吸、心臓機能、酸素供給、脳活動の医用測定および観察システム（センサーおよび／またはモニターを含む）、ならびに（ｃ）例えば、換気装置、空調装置、加湿器、温度調節装置、温度調節システム、消音装置、振動抑制装置など、およびそれらの任意の組合せ、などの環境制御システム、であり得る。
【００５６】
用語「医療機器管」は以下、生命維持装置、医療機器または物理的環境維持もしくは監視と連結して使用される、全てのチューブ、ケーブル、コネクタ、ワイヤー、液体搬送装置、気体搬送装置、電線、モニタリングケーブル、ビューイングケーブル、データケーブルなどを区別しないで指す。
【００５７】
用語「ＣＰＵ」、中央処理装置は、以下、システムの基本的な算術、論理、および入力／出力演算を実行することによりコンピュータプログラムの命令を実行するコンピュータ内のハードウェアを区別しないで指す。本発明の実施形態では、ＣＰＵは、ユーザーインタフェース、少なくとも１つのセンサー、少なくとも１つのインジケータ、少なくとも１つの通気モジュール、少なくとも１つの温度調節ベント、少なくとも１つのエアフィルター、少なくとも１つの音声フィルター、少なくとも１つの加湿器、少なくとも１つの空気循環機構、生命維持装置、制御パネル、監視装置、表示または撮影装置など、および、例えば、ベント、バッフル、リクライニング可能な新生児拘束手段、保育器内の少なくとも１つの開口部の密閉などの動きに電力を変換するように構成された少なくとも１つのエンジンに接続でき、このようにして、本発明の様々な態様を通した監視および／または制御をユーザーに提供する。
【００５８】
用語「磁気共鳴画像診断装置」（ＭＲＤ）は、以下、任意の磁気共鳴断層撮影（ＭＲＩ）装置、任意の核磁気共鳴（ＮＭＲ）分光器、任意の電子スピン共鳴（ＥＳＲ）分光器、任意の核４重極共鳴（ＮＱＲ）、任意のレーザー磁気共鳴装置、任意の量子回転磁場共鳴（Ｑｕａｎｔｕｍ  Ｒｏｔａｔｉｏｎａｌ  ｆｉｅｌｄ  ｍａｇｎｅｔｉｃ  ｒｅｓｏｎａｎｃｅ）装置（サイクロトロン）、およびそれらの任意の組合せに特に適用される。この用語は、本発明では、コンピュータ断層撮影（ＣＴ）、超音波（ＵＳ）などの関心体積を含む、任意の他の分析および撮像機器にも適用される。本明細書によって開示されるＭＲＤは、任意選択で、ＡＳＰＥＣＴ−ＭＲ  Ｌｔｄ市販装置などの可搬式ＭＲＩ、または市販の可搬式でない装置である。追加または代替として、ＭＲＤは、２００８年５月２７日に出願された「ＳＥＬＦ−ＦＡＳＴＥＮＩＮＧ  ＣＡＧＥ  ＳＵＲＲＯＵＮＤＩＮＧ  Ａ  ＭＡＧＮＥＴＩＣ  ＲＥＳＯＮＡＮＣＥ  ＤＥＶＩＣＥ  ＡＮＤ  ＭＥＴＨＯＤＳ  ＴＨＥＲＥＯＦ」という名称の米国特許第７７１９２７９  Ｂ２号に示されているような磁気共鳴装置を囲んでいる自動固定ケージ（ｓｅｆｌ−ｆａｓｔｅｎｉｎｇ  ｃａｇｅ）であり、それは、参照により全体として本明細書に組み込まれる。
【００５９】
用語「ＭＲＩで使える（ＭＲＩ−ｓａｆｅ）」は、本明細書では、ＭＲ環境内で使用される場合に、患者に追加のリスクを与えず、診断情報の質に大きな影響を及ぼさない、任意の材料を区別しないで指す。材料は、完全に非磁性、非導電性、かつ非ＲＦ反応で、ＭＲＩ手続き中に、主な潜在的脅威の全てを排除する。
【００６０】
用語「音減衰手段」は、本明細書では、一般的な音および特定の音を減衰または弱めるために構成された任意の手段を区別しないで指し、以下を含む。
−特定の周波数に対して設計された共鳴器、吸音材料および裏張りなどの受動型音響減衰器。ＰＮＴＩと組み合わせて使用され、音が媒体内を通るときに、音エネルギーの少なくとも一部を、媒体自体内に消散させる、受動的な吸音材料は、例えば、もつれさせたか、または紡がれた繊維の一般的に形成された多孔質材、空隙上に取り付けられた不浸透面を有するパネル（膜）吸収材、および閉じ込められた空気の囲まれた体積に連結された穴またはスロットによって作成された共鳴器などであり得る。一般的な多孔質吸音材料は、音エネルギーが熱に変換される、気泡構造に、空気が流入するのを可能にする。これらは、布またはカーペットの厚い層、噴霧セルロース、通気漆喰（ａｅｒａｔｅｄ  ｐｌａｓｔｅｒ）、繊維状鉱物綿およびガラス繊維、連続気泡発泡体、ならびにフェルトに形成されたか、または鋳造された多孔質の天井タイルを含み得る。厚さは、多孔質材による音吸収において重要な役割を果たす。
【００６１】
他の吸収材は、パネル吸収材である。典型的には、パネル吸収材は、隣接した空気分子によって印加された音圧に応答してたわみモードで振動する、空隙上に置かれている、非剛体で、無孔材料であり、例えば、骨組み上の薄い木製パネル、軽量不浸透天井および床、音に応答して共鳴可能な光沢表面および他の大きな表面である。
【００６２】
用語「共鳴器」は、本明細書では、典型的には、狭い周波数範囲の音を吸収するために働くように構成された構造を指す。共鳴器は、何らかの穴のあいた材料、および開口部（穴およびスロット）を有する材料を含む。ヘルムホルツ共鳴器などは、ボトルの形状を有する。共鳴周波数は、開口部のサイズ、首の長さおよびチャンバー内に閉じ込められた空気の体積によって調節される。通常、表面仕上げを設計する際に可能な限り音響的に透過であるように細心の注意が払われない限り、穴のあいた材料は、中周波数範囲のみを吸収する。
【００６３】
−アクチュエータ拡声器の使用など、騒音の二次音源を使用して相殺的干渉を作り出す、能動型音制御装置。いくつかの能動型音制御装置は、様々な位置で音センサーから受信した情報を利用する、能動的なフィードバック機構を使用して、受信した特定の周波数および音レベルに応答する。能動型音制御機構は、その生成された音周波数が計算できる、ベントを備えたシステムで効果的に採用できる。
【００６４】
−調節可能なヘルムホルツ共鳴器などの、動作周波数のバンドにわたって最適な騒音減衰を達成するために、そのパラメータを変えることができる受動型装置を使用する、音低減および適応受動型システムを達成するために能動型および受動型の両方の要素を採用する、ハイブリッド型音減衰システム。
【００６５】
当技術分野で開示されているように、例えば、「Ａｉｒ  ｔｒａｎｓｐａｒｅｎｔ  ｓｏｕｎｄｐｒｏｏｆ  ｗｉｎｄｏｗ」，ａｒＸｉｖ：１３０７．０３０１［ｃｏｎｄ−ｍａｔ．ｍｔｒｌ−ｓｃｉ］ａｒｘｉｖ．ｏｒｇ／ａｂｓ／１３０７．０３０１，ｈｔｔｐ：／／ｐｈｙｓ．ｏｒｇ／ｎｅｗｓ／２０１３−０７−ｍａｔｅｒｉａｌｓ−ｓｃｉｅｎｔｉｓｔｓ−ｗｉｎｄｏｗ−ｍｕｔｅｓ−ａｉｒ．ｈｔｍｌ＃ｊＣｐでは、各個々の共鳴器に中心が置かれた多数の穴を備えた回折型共鳴器の３次元配列から成る、音を捕捉して減衰するように構成された特定のチャンバーおよび穴を設計することにより、空気を通すが、伝えられた音を３５ｄＢまで低下させるスクリーンを記述している。さらに、研究者は、穴のサイズを変更すると、異なる周波数を弱めることが可能になると言及している。
【００６６】
さらに、音を減衰するように構成された共鳴器を備えた構造物を含む、穴のあいた外囲容器を有する搬送用保育器は、本発明の範囲内である。追加または代替として、外囲容器は、ｈで表される高さを有する体積を含み、好ましくはミリメートルで測定される。ｈの値は、搬送用保育器全体にわたって一定、または可変であり得る。このボリューム共鳴器および減衰器の少なくとも一部が実装できる。さらに、この体積は、穿孔の周囲に置かれた吸音材料で充填できる。
【００６７】
用語「音シールド」は、以下、新生児に届く音を低下させるように構成された、単一または複数の、任意のバリアまたは音反射パネル、スクリーン、バッフルを指す。
【００６８】
用語「患者台」は、本明細書では、検査される／治療される／撮像される／手術される患者を乗せるための専用の、医療機器によって提供される任意の所定の位置を区別しないで指し、例えば、カウンター、棚、ストレッチャー、ベッド、揺り籠、拘束具、テーブル、リクライニング台（ｒｅｃｌｉｎｅｒ）、椅子、患者置き（ｐａｔｉｅｎｔ  ｐｌａｃｅｍｅｎｔ）、または撮像および／もしくは治療されている間に患者を乗せるように指定された任意の物体。磁気共鳴装置では、例えば、患者用ベッドの位置は、磁石によって生成される磁場に関して最適に配置されるように注意深く決定される。
【００６９】
用語「エアフィルター」は、本明細書では、空気から固体粒子を除去するように構成された任意の装置を区別しないで指す。典型的には、フィルターは、空気から、埃、花粉、カビ、およびバクテリアを、過度の湿度、煙粒子、アレルゲン、ペットのふけ、カビ胞子、イエダニの糞、バクテリア、ウィルスを、バクテリア、ウィルス原虫、動物由来の任意の微粒子を、揮発性有機化合物またはオゾンなどの任意の所定の空気中の分子汚染を、およびそれらの任意の組合せを、除去する。フィルターは、例えば、ケミカルフィルター、イオン発生器、油浴フィルター空気清浄器、ＨＥＰＡフィルターなどである。フィルターは、例えば、電流を流すこと、または静的な、熱力学的殺菌システム、紫外線殺菌照射、活性炭、光触媒酸化電気集塵装置、二酸化チタン（ＴｉＯ２）技術などの、当技術分野で既知の空気清浄機構をさらに採用できる。
【００７０】
用語「患者置き」は、本明細書では、例えば、新生児などの、患者を受け入れるように構成されたＰＮＴＩの内容積内の任意の位置を区別しないで指す。追加または代替として、この位置は、ベッド、拘束具、マットレス、凹形状、枕、人間工学的形状、ベルト、ストラップ、平面、少なくとも部分的に柔軟な表面、使い捨て可能部分、殺菌可能部分、拘束手段、およびそれらの任意の組合せを含み得る。
【００７１】
用語「複数」は、本明細書では、１および／または２以上を区別しないで指す。
【００７２】
用語「カート」は以下、カートを搬送するために使用される任意の機器を指す。これは、任意の搬送装置または手動で、自動的に、もしくはその両方で押されるか、または引かれる任意の小型車両を含む。より詳細には、この用語は、１つまたは複数の車輪、ローラー、スライディングブレード、回転ベルトなどの、可動性提供要素を有する保育器を保持することが可能な構造に関連する。例えば、台車、手車、手押し車、電動カート、ワゴン、一輪手車、人力車、ラック（ｒｕｃｋ）、ワゴン、一輪手車、バギー車、小車（ｄｏｌｌｙ）、運び台、フロート（ｆｌｏａｔ）、キャブ（ｃａｂ）、荷馬車、ギグ（ｇｉｇ）、車輪付き担架、手車、かご、手押し車、荷物運搬車、一輪車、二頭立て二輪馬車など。
【００７３】
本発明の一実施形態によれば、受動的に温度調節される新生児搬送用保育器（ＰＮＴＩ）は、新生児を収容するためのサイズおよび形状を用いて構成された内容積を取り囲み、近位端および反対側の遠位端をもつ主縦軸を有する、外囲容器を含み、外囲容器は、少なくとも一部穴があけられている。
【００７４】
本発明の別の実施形態によれば、ＰＮＴＩが、独立して通気する医療機器によって通気されるように構成され、医療機器が、保育器、カート、磁気共鳴装置（ＭＲＤ）、ＣＴスキャナ、Ｘ線装置、超音波検査装置、エラストグラフィ、蛍光透視装置、光音響撮像装置、サーモグラフィ装置、機能的近赤外分光法、医療用写真装置および核医学機能的撮像装置、陽電子放出断層撮影（ＰＥＴ）装置、手術台、治療台、ならびにそれらの任意の組合せ、から成るグループから選択される、上で定義されたようなＰＮＴＩが開示される。
【００７５】
本発明の別の実施形態によれば、ＰＮＴＩが、ＭＲＤ穴に挿入するためのサイズおよび形状を用いて構成されている、上で定義されたようなＰＮＴＩが開示される。
【００７６】
本発明の別の実施形態によれば、外囲容器が、単方向、双方向およびそれらの任意の組合せから成るグループから選択された方法で透過性がある、上で定義されたようなＰＮＴＩが開示される。
【００７７】
本発明の別の実施形態によれば、ＰＮＴＩが、アルファ、ベータ、ガンマ、Ｘ線、磁気、電離、熱、赤外線、音、およびそれらの任意の組合せから成るグループから選択された放射に対して透過性がある、上で定義されたようなＰＮＴＩが開示される。
【００７８】
本発明の別の実施形態によれば、ＰＮＴＩが、少なくとも１つの折り畳み構造および１つの非折り畳み構造を含む、上で定義されたようなＰＮＴＩが開示される。
【００７９】
本発明の別の実施形態によれば、折り畳み構造が、ＰＮＴＩを最小体積アプテーク（ｕｐｔａｋｅ）で保管するために構成されている、上で定義されたようなＰＮＴＩが開示される。
【００８０】
本発明の別の実施形態によれば、気流を減速させて穏やかにするための空気攪乱手段（ＡＴＭ）を追加として含む、上で定義されたようなＰＮＴＩが開示される。
【００８１】
本発明の別の実施形態によれば、ＰＮＴＩの少なくとも一部がＭＲＩで使える材料で作られている、上で定義されたようなＰＮＴＩが開示される。
【００８２】
本発明の別の実施形態によれば、ＰＮＴＩの少なくとも一部が、振動吸収、吸音、液体抵抗性、耐火性、リサイクル可能材料、使い捨て材料、可撓性材料、少なくとも一部透明材料、およびそれらの任意の組合せ、から成るグループから選択された材料を含む、上で定義されたようなＰＮＴＩが開示される。
【００８３】
本発明の別の実施形態によれば、ＰＮＴＩが、少なくとも１つの可動ヒンジ部分を含む、上で定義されたようなＰＮＴＩが開示される。
【００８４】
本発明の別の実施形態によれば、ＰＮＴＩが、生命維持装置、管または両方をドッキングするか、または通すために構成された少なくとも１つのポートを含む、上で定義されたようなＰＮＴＩが開示される。
【００８５】
本発明の別の実施形態によれば、外囲容器が、新生児を入れるための少なくとも１つの開口部を含む、上で定義されたようなＰＮＴＩが開示される。
【００８６】
本発明の別の実施形態によれば、ＰＮＴＩが、少なくとも１つの可逆的に連結された患者置きを含む、上で定義されたようなＰＮＴＩが開示される。
【００８７】
本発明の別の実施形態によれば、ＰＮＴＩが、多角形、円形、対称、非対称、およびそれらの任意の組合せから成るグループから選択された形状である、上で定義されたようなＰＮＴＩが開示される。
【００８８】
本発明の別の実施形態によれば、ＰＮＴＩと流体連結した少なくとも１つの温度調節ベント（ＴＲＶ）を追加として含む、上で定義されたようなＰＮＴＩが開示される。
【００８９】
本発明の別の実施形態によれば、ＴＲＶが端部の少なくとも一方に配置されていて、さらに、ＴＲＶが、空気をその端部から反対側の端部の方に概ね軸に沿って流すように構成され、さらに、ＰＮＴＩが、新生児を軸と平行に収容するための、サイズおよび形状を用いて、構成されている、上で定義されたようなＰＮＴＩが開示される。
【００９０】
本発明の別の実施形態によれば、ＴＲＶが、少なくとも１つの第１の通気モジュール、少なくとも１つの第１の加熱／冷却モジュール、第１の通気モジュールまたは第１の加熱／冷却モジュールのいずれかに隣接して配置された少なくとも１つのフィルターおよびそれらの任意の組合せ、から成るグループから選択されたモジュールである、上で定義されたようなＰＮＴＩが開示される。
【００９１】
本発明の別の実施形態によれば、ＴＲＶが、加熱された空気、冷却された空気、加湿された空気、ろ過された空気、室温空気、所定のガス濃度の空気、およびそれらの任意の組合せ、から成るグループから選択された空気を、ＰＮＴＩに導入するように構成された少なくとも１つの通気モジュールを含む、上で定義されたようなＰＮＴＩが開示される。
【００９２】
本発明の別の実施形態によれば、ＴＲＶが、温度、湿度、圧力、浮遊微小粒子含量、ガス濃度、およびそれらの任意の組合せ、から成るグループから選択された空気の品質に対して、その品質を所定の値または値の範囲に維持するように構成された、フィードバック機構を含む、上で定義されたようなＰＮＴＩが開示される。
【００９３】
本発明の別の実施形態によれば、ＴＲＶが、ローターの軸と垂直に回転する少なくとも１つのローターを有する、ファンであり、さらに、その軸がＰＮＴＩの主縦軸と平行に配置されている、上で定義されたようなＰＮＴＩが開示される。
【００９４】
本発明の別の実施形態によれば、ＴＲＶが、体積Ｗおよび時間Ｙにつき、Ｘの気流を供給するように構成されている、上で定義されたようなＰＮＴＩが開示される。
【００９５】
本発明の別の実施形態によれば、Ｘ、Ｗ、およびＹの気流パラメータが、ユーザーによって構成可能である、上で定義されたようなＰＮＴＩが開示される。
【００９６】
本発明の別の実施形態によれば、ＴＲＶが、直線気流、乱気流または両方を、ＡＮＴＩ内容積の少なくとも一部内に供給するように構成されている、上で定義されたようなＰＮＴＩが開示される。
【００９７】
本発明の別の実施形態によれば、ＰＮＴＩ、ＴＲＶまたは両方が、ＴＲＶ、ＰＮＴＩ内での空気の動き、ＭＲＤによって生成される音、ＰＮＴＩの外部の音、ＰＮＴＩに空気が入ることによって生成される音、およびそれらの任意の組合せ、から成るグループから選択されたものの音を少なくとも一部、減衰するように構成された、音減衰手段を含む、上で定義されたようなＰＮＴＩが開示される。
【００９８】
本発明の別の実施形態によれば、ＰＮＴＩが、可撓性の振動吸収材料、コネクタまたは両方によって、ＴＲＶに連結されている、上で定義されたようなＰＮＴＩが開示される。
【００９９】
本発明の別の実施形態によれば、ＰＮＴＩが中央処理装置（ＣＰＵ）を含み、さらに、ＣＰＵが、ＴＲＶ、少なくとも１つのセンサーから受信した信号に応答することによるＴＲＶの制御、ユーザーによって定義された値に従ったＴＲＶの制御、新生児の所定の健康状態に従ったＴＲＶの制御、およびそれらの任意の組合せ、から成るグループから選択されたものを制御するように構成されている、上で定義されたようなＰＮＴＩが開示される。
【０１００】
本発明の別の実施形態によれば、以下のうちの少なくとも１つ、つまり（ａ）ＰＮＴＩが、端部の一方に配置された少なくとも１つの第１のＴＲＶおよび反対側の端部に配置された少なくとも１つの第２のＴＲＶを含む、（ｂ）少なくとも１つのＴＲＶが、ＰＮＴＩ内部に配置されている、（ｃ）少なくとも１つのＴＲＶが、ＰＮＴＩの外部に配置され、管によってＰＮＴＩと空気連結されている、および（ｄ）少なくとも１つのＴＲＶがＰＮＴＩと空気連結され、かつ少なくとも１つのＴＲＶがＰＮＴＩから遠隔に配置されている、が当てはまる、上で定義されたようなＰＮＴＩが開示される。
【０１０１】
本発明の別の実施形態によれば、ＰＮＴＩが、少なくとも１つの空気再循環機構（ＡＲＭ）と空気連結されており、ＡＲＭが、（ａ）ＰＮＴＩの外部環境からＰＮＴＩの内部環境に向かう気流を収集するための少なくとも１つの空気吸込み口、および（ｂ）ＰＮＴＩの内部環境から流れた空気を収集するための少なくとも１つの再循環された空気の吹き出し口、を含む、上で定義されたようなＰＮＴＩが開示される。
【０１０２】
本発明の別の実施形態によれば、追加として、再循環された気流、ＰＮＴＩの外部環境からの気流、ＰＮＴＩの内部環境に向かって流れる空気、およびそれらの任意の組合せ、から成るグループから選択された少なくとも１つの気流を調節するための少なくとも１つの気流調整器を含む、上で定義されたようなＰＮＴＩが開示される。
【０１０３】
本発明の別の実施形態によれば、少なくとも１つの空気バッフルを追加として含む、上で定義されたようなＰＮＴＩが開示される。
【０１０４】
本発明の別の実施形態によれば、ＰＮＴＩが、少なくとも１つのエアフィルターを含む、上で定義されたようなＰＮＴＩが開示される。
【０１０５】
本発明の別の実施形態によれば、ＰＮＴＩが、中にいる新生児の位置を迂回するように気流ドリフトを向けるように構成されている、上で定義されたようなＰＮＴＩが開示される。
【０１０６】
本発明の別の実施形態によれば、ＰＮＴＩが、外部から供給された加圧ガスと流体連結されている、上で定義されたようなＰＮＴＩが開示される。
【０１０７】
本発明の別の実施形態によれば、ＰＮＴＩの壁の少なくとも一部が、二重ジャケット壁構成（ＤＪＷ）であり、ＤＪＷが、穴のあいた内壁および完全で穴のあいていない外壁を含み、それにより、ＤＪＷが、事前に定義された幅（ｗ）および長さ（ｌ）を有する導管内の主縦軸に沿った、気流を促進する、上で定義されたようなＰＮＴＩが開示される。
【０１０８】
本発明の別の実施形態によれば、二重ジャケット壁構成を含むＰＮＴＩを追加として含み、外壁および内壁が両方とも、少なくとも一部穴の開いている、上で定義されたようなＰＮＴＩが開示される。追加または代替として、二重ジャケット壁の間の導管が、少なくとも一部、騒音吸音材料で充填される。追加または代替として、導管は、音減衰手段を含む。
【０１０９】
本発明の別の実施形態によれば、幅および長さ（ｗ，ｌ）の少なくとも一部が、縦軸に沿って等しい、縦軸に沿って変化する、およびそれらの任意の組合せ、から成るグループから選択されている、上で定義されたようなＰＮＴＩが開示される。
【０１１０】
本発明の別の実施形態によれば、ＰＮＴＩが、ＭＲＩで使えるカートと相互接続されている、上で定義されたようなＰＮＴＩが開示される。
【０１１１】
本発明の別の実施形態によれば、ＰＮＴＩと連結したカートが、ＭＲＤ穴に少なくとも一部、挿入されるように構成されている、上で定義されたようなＰＮＴＩが開示される。
【０１１２】
本発明の別の実施形態によれば、ＴＲＶが、可動式基部、少なくとも１つの支持、少なくとも１つのＰＮＴＩ端部、およびそれらの任意の組合せ、から成るグループから選択されたところに配置された少なくとも１つの通気モジュールから成り、さらに、通気モジュールが少なくとも１つの管によってＰＮＴＩに連結されている、上で定義されたようなＰＮＴＩが開示される。
【０１１３】
本発明の別の実施形態によれば、ＰＮＴＩが、外部通気モジュール、外部加湿器、管、外部空気清浄器、外部加熱／冷却装置、外部濃縮薬剤投与装置、およびそれらの任意の組合せ、から成るグループから選択されたものと連結された、少なくとも１つの空気入口を含む、上で定義されたようなＰＮＴＩが開示される。
【０１１４】
本発明の別の実施形態によれば、穿孔のうちの少なくとも１つが、少なくとも１つの第１の開いて構成された形状、および少なくとも１つの少なくとも一部閉じて構成された形状を有するように構成された、形状記憶ポリマーで作られていて、さらに、ポリマーの形状変化が、磁場、温度、ｐＨシフト、電流、電界、湿度、光、別の物質への曝露、圧力ストレス、およびそれらの任意の組合せ、から成るグループから選択されたものによってトリガーされる、上で定義されたようなＰＮＴＩが開示される。
【０１１５】
本発明の別の実施形態によれば、穿孔のうちの少なくとも１つが、信号を受信して、穿孔を少なくとも一部開くか、または閉じるように構成されている、上で定義されたようなＰＮＴＩが開示される。
【０１１６】
本発明の別の実施形態によれば、穿孔のうちの少なくとも１つが、サイズ、量、位置、およびそれらの任意の組合せ、から成るグループから選択された方法で調整可能である、上で定義されたようなＰＮＴＩが開示される。
【０１１７】
本発明の別の実施形態によれば、外囲容器の外側に可逆的に取付け可能な無孔層を追加として含む、上で定義されたようなＰＮＴＩが開示される。
【０１１８】
本発明の別の実施形態によれば、穿孔のうちの少なくとも１つが、少なくとも一部密封可能である、上で定義されたようなＰＮＴＩが開示される。
【０１１９】
本発明の別の実施形態によれば、穿孔のうちの少なくとも１つが、単方向、双方向およびそれらの任意の組合せから成るグループから選択された方法で透過性がある、上で定義されたようなＰＮＴＩが開示される。
【０１２０】
本発明の別の実施形態によれば、穿孔のうちの少なくとも１つが、操作しやすいバッフルに連結されている、上で定義されたようなＰＮＴＩが開示される。
【０１２１】
本発明の別の実施形態によれば、穿孔のうちの少なくとも１つが、少なくとも１つのエアフィルターを含む、上で定義されたようなＰＮＴＩが開示される。
【０１２２】
本発明の別の実施形態によれば、穿孔のうちの少なくとも１つが、多角形、円形、対称、非対称、およびそれらの任意の組合せ、から成るグループから選択された形状である、上で定義されたようなＰＮＴＩが開示される。
【０１２３】
本発明の別の実施形態によれば、穿孔が、サイズが等しい、深さが等しい、形状が等しい、サイズが等しくない、深さが等しくない、形状が等しくない、およびそれらの任意の組合せ、から成るグループから選択されている、上で定義されたようなＰＮＴＩが開示される。
【０１２４】
本発明の別の実施形態によれば、穿孔のうちの少なくとも１つが、滑らかな縁部を有するように構成されている、上で定義されたようなＰＮＴＩが開示される。
【０１２５】
本発明の別の実施形態によれば、穿孔のうちの少なくとも１つが、中にいる新生児の位置を迂回するように気流ドリフトを向けるように構成されている、上で定義されたようなＰＮＴＩが開示される。
【０１２６】
本発明の別の実施形態によれば、少なくとも１つの穿孔が、ユーザーによって事前に定義された、体積Ｗおよび時間Ｙにつき、Ｘの気流を可能にするように構成されている、上で定義されたようなＰＮＴＩが開示される。
【０１２７】
本発明の別の実施形態によれば、ＰＮＴＩの少なくとも一部が、雑音防止材で作られている、上で定義されたようなＰＮＴＩが開示される。
【０１２８】
本発明の別の実施形態によれば、ＰＮＴＩが、ＰＮＴＩに入る気流の音、ＭＲＤによって生成される音、ＰＮＴＩ内の気流の音、外部環境によって生成される音、およびそれらの任意の組合せ、から成るグループから選択されたものを少なくとも一部、減衰するように構成された、音減衰手段を含む、上で定義されたようなＰＮＴＩが開示される。
【０１２９】
本発明の別の実施形態によれば、穿孔のうちの少なくとも１つが、所定の音を減衰するためのサイズおよび形状を用いて構成されている、上で定義されたようなＰＮＴＩが開示される。
【０１３０】
本発明の別の実施形態によれば、ＰＮＴＩが、複数の層から構成されている、上で定義されたようなＰＮＴＩが開示される。
【０１３１】
本発明の別の実施形態によれば、層のうちの少なくとも１つが、振動吸収、吸音、液体抵抗性、耐火性、リサイクル可能材料、使い捨て材料、殺菌可能材料、およびそれらの任意の組合せ、から成るグループから選択された材料を含む、上で定義されたようなＰＮＴＩが開示される。
【０１３２】
本発明の別の実施形態によれば、層の各々が、穿孔を含む、上で定義されたようなＰＮＴＩが開示される。
【０１３３】
本発明の別の実施形態によれば、ＰＮＴＩが、気流および／またはベントによって生成された周波数を相殺するために音波を反射するように構成された、少なくとも１つの共鳴器を含む、上で定義されたようなＰＮＴＩが開示される。
【０１３４】
本発明の別の実施形態によれば、ＰＮＴＩが、温度センサー、動きセンサー、呼吸センサー、ガス濃度センサー、気流センサー、湿度センサー、ドア開閉センサー、重量センサー、ＲＦセンサー、気圧センサー、循環器活動センサー、磁場センサー、放射線センサー、およびそれらの任意の組合せ、から成るグループから選択された、少なくとも１つのセンサーを含む、上で定義されたようなＰＮＴＩが開示される。
【０１３５】
本発明の別の実施形態によれば、センサーが、検知した情報をＣＰＵ、インジケータ、または両方に中継するように構成されている、上で定義されたようなＰＮＴＩが開示される。
【０１３６】
本発明の別の実施形態によれば、ＰＮＴＩが中央処理装置（ＣＰＵ）を含む、上で定義されたようなＰＮＴＩが開示される。
【０１３７】
本発明の別の実施形態によれば、ＣＰＵが、画面、タッチスクリーン、ジョイスティック、キーボード、スマートフォン、タブレット、動作感知装置、制御パネル、ボタンなど、から成るグループから選択されたユーザーインタフェースと接続されていて、さらに、ＰＮＴＩからの任意のデータが、インターネット、ＳＭＳ、ポケットベル、電子メール、ＲＦ信号に、ブルートゥースなどの任意の近距離通信、およびＲＦなどの任意の長距離通信によって伝送できる、上で定義されたようなＰＮＴＩが開示される。
【０１３８】
本発明の別の実施形態によれば、ＰＮＴＩが、収容されている新生児を表示して、この情報を有線または無線で伝送するのを可能にするように構成された、表示機器を追加として含む、上で定義されたようなＰＮＴＩが開示される。
【０１３９】
本発明の別の実施形態によれば、ＣＰＵが、少なくとも１つのセンサーからの情報、気圧、温度、湿度、音レベル、ガス濃度、浮遊微小粒子数、およびそれらの任意の組合せ、から成るグループから選択された、ＰＮＴＩ内容積のパラメータの所定の値に応答して、穿孔を通過する気流を制御するように構成されている、上で定義されたようなＰＮＴＩが開示される。
【０１４０】
本発明の別の実施形態によれば、ＣＰＵが、サイズ、透過性、量、位置およびそれらの任意の組合せ、から成るグループから選択された穿孔特性を、センサーから受信した信号に応答することによって制御するように構成されている、上で定義されたようなＰＮＴＩが開示される。
【０１４１】
本発明の別の実施形態によれば、穿孔のうちの少なくとも１つが、中にいる新生児の位置を迂回するように気流を向けるために、開く角度、取り付けられたバッフルの操作、穿孔位置、シャッターの操作、穿孔のうちの少なくとも１つの閉開およびそれらの任意の組合せ、から成るグループから選択された手段によって構成可能である、上で定義されたようなＰＮＴＩが開示される。
【０１４２】
本発明の別の実施形態によれば、ＰＮＴＩが、振動吸収材料、連結または両方を含む、上で定義されたようなＰＮＴＩが開示される。
【０１４３】
本発明の別の実施形態によれば、ＰＮＴＩの少なくとも一部が、音を減衰すること、ＰＮＴＩの動きを最小限にすること、ＰＮＴＩを握りやすくすること、およびそれらの任意の組合せ、から成るグループから選択されたことを行うために構成された、テクスチャを含む、上で定義されたようなＰＮＴＩが開示される。
【０１４４】
本発明の別の実施形態によれば、ＰＮＴＩが、生命維持装置に連結されている、上で定義されたようなＰＮＴＩが開示される。
【０１４５】
本発明の別の実施形態によれば、ＰＮＴＩが、取扱者の手を保育器に入れるためのサイズおよび形状を用いて構成された少なくとも１つの開口部を含む、上で定義されたようなＰＮＴＩが開示される。
【０１４６】
本発明の別の実施形態によれば、ＰＮＴＩが、外部、内部または両方の電源への接続を含む、上で定義されたようなＰＮＴＩが開示される。
【０１４７】
本発明の一実施形態による、（ａ）新生児を収容するためのサイズおよび形状を用いて構成された内容積を取り囲み、近位端および反対側の遠位端をもつ主縦軸を有する、外囲容器を含んでいて、その外囲容器が、少なくとも一部、穴があけられている、受動的に温度調節される新生児搬送用保育器（ＰＮＴＩ）を取得すること、（ｂ）新生児をＰＮＴＩ内に収容すること、（ｃ）ＰＮＴＩを温度調節された環境に置くこと、および（ｄ）同じ操作を行うこと、によって特性化された、新生児を受動的に体温調節するための方法。
【０１４８】
本発明の別の実施形態によれば、ＰＮＴＩを、独立して通気する医療機器によって通気されるように通気するステップを追加として含み、医療機器が、保育器、カート、磁気共鳴装置（ＭＲＤ）、ＣＴスキャナ、Ｘ線装置、超音波検査装置、エラストグラフィ、蛍光透視装置、光音響撮像装置、サーモグラフィ装置、機能的近赤外分光法、医療用写真装置および核医学機能的撮像装置、陽電子放出断層撮影（ＰＥＴ）装置、手術台、治療台、ならびにそれらの任意の組合せ、から成るグループから選択される、上で定義されたような方法が開示される。
【０１４９】
本発明の別の実施形態によれば、ＭＲＤ穴に挿入するためのサイズおよび形状を用いて構成されたＰＮＴＩを選択するステップを追加として含む、上で定義されたような方法が開示される。
【０１５０】
本発明の別の実施形態によれば、単方向、双方向およびそれらの任意の組合せから成るグループから選択された方法で透過性がある外囲容器を選択するステップを追加として含む、上で定義されたような方法が開示される。
【０１５１】
本発明の別の実施形態によれば、アルファ、ベータ、ガンマ、Ｘ線、磁気、電離、熱、赤外線、音、およびそれらの任意の組合せから成るグループから選択された放射に対して透過性があるＰＮＴＩを選択するステップを追加として含む、上で定義されたような方法が開示される。
【０１５２】
本発明の別の実施形態によれば、ＰＮＴＩが少なくとも１つの折り畳み構造および１つの非折り畳み構造を含むステップを追加として含み、さらに、ＰＮＴＩを少なくとも一部、折り畳むか、または開くステップを含む、上で定義されたような方法が開示される。
【０１５３】
本発明の別の実施形態によれば、ＰＮＴＩを折り畳み、それにより、ＰＮＴＩを最小体積アプテークで保管するステップを追加として含む、上で定義されたような方法が開示される。
【０１５４】
本発明の別の実施形態によれば、空気攪乱手段（ＡＴＭ）に連結し、および／またはそれを操作して、気流を減速および調節するステップを追加として含む、上で定義されたような方法が開示される。
【０１５５】
本発明の別の実施形態によれば、ＰＮＴＩの少なくとも一部がＭＲＩで使える材料で作られている、ＰＮＴＩを選択するステップを追加として含む、上で定義されたような方法が開示される。
【０１５６】
本発明の別の実施形態によれば、ＡＮＴＩの少なくとも一部が、可撓性材料、少なくとも一部透明材料、振動吸収、吸音、液体抵抗性、耐火性、リサイクル可能材料、使い捨て材料、およびそれらの任意の組合せ、から成るグループから選択された材料を含む、ＰＮＴＩを選択するステップを追加として含む、上で定義されたような方法が開示される。
【０１５７】
本発明の別の実施形態によれば、少なくとも１つの操作しやすいヒンジで連結された部分を含むＰＮＴＩを選択するステップを追加として含み、さらにヒンジで連結された部分を操作するステップを含む、上で定義されたような方法が開示される。
【０１５８】
本発明の別の実施形態によれば、少なくとも１つのポートを含み、生命維持装置、管、およびそれらの任意の組合せ、から成るグループから選択されたものをドッキングするか、または通す、ＰＮＴＩを選択するステップを追加として含む、上で定義されたような方法が開示される。
【０１５９】
本発明の別の実施形態によれば、新生児を入れるための少なくとも１つの開口部を含み、新生児をその開口部からＰＮＴＩに入れる、外囲容器を選択するステップを追加として含む、上で定義されたような方法が開示される。
【０１６０】
本発明の別の実施形態によれば、少なくとも１つの患者置きをＰＮＴＩに可逆的に連結するステップを追加として含む、上で定義されたような方法が開示される。
【０１６１】
本発明の別の実施形態によれば、多角形、円形、対称、非対称、およびそれらの任意の組合せから成るグループから選択された形状のＰＮＴＩを選択するステップを追加として含む、上で定義されたような方法が開示される。
【０１６２】
本発明の別の実施形態によれば、ＰＮＴＩと流体連結した少なくとも１つの温度調節ベント（ＴＲＶ）を追加として含む、上で定義されたような方法が開示される。
【０１６３】
本発明の別の実施形態によれば、（ａ）ＴＲＶを端部の少なくとも一方に連結すること、および（ｂ）空気をその端部から反対側の端部の方に概ね軸に沿って流すようにＴＲＶを構成すること、のステップを追加として含み、ＰＮＴＩが、新生児を軸と平行に収容するための、サイズおよび形状を用いて、構成され、それにより空気を新生児と並行して流す、上で定義されたような方法が開示される。
【０１６４】
本発明の別の実施形態によれば、少なくとも１つの第１の通気モジュール、少なくとも１つの第１の加熱／冷却モジュール、第１の通気モジュールまたは第１の加熱／冷却モジュールのいずれかに隣接して配置された少なくとも１つのフィルターおよびそれらの任意の組合せ、から成るグループからＴＲＶモジュールを選択するステップを追加として含む、上で定義されたような方法が開示される。
【０１６５】
本発明の別の実施形態によれば、加熱された空気、冷却された空気、加湿された空気、ろ過された空気、室温空気、所定のガス濃度の空気、およびそれらの任意の組合せ、から成るグループから選択された空気を、ＰＮＴＩに導入するために、少なくとも１つのＴＲＶ通気モジュールを構成するステップを追加として含む、上で定義されたような方法が開示される。
【０１６６】
本発明の別の実施形態によれば、温度、湿度、圧力、浮遊微小粒子含量、ガス濃度、およびそれらの任意の組合せ、から成るグループから選択された空気の品質に対するＴＲＶフィードバック機構を操作するステップを追加として含み、さらに、フィードバック機構に応答して、その品質を所定の値または値の範囲に維持するようにＴＲＶを構成するステップを含む、上で定義されたような方法が開示される。
【０１６７】
本発明の別の実施形態によれば、ローターの軸と垂直に回転する少なくとも１つのローターを有する、ファンとして構成されたＴＲＶを選択するステップを追加として含み、さらに、その軸がＰＮＴＩの主縦軸と平行に配置されている、上で定義されたような方法が開示される。
【０１６８】
本発明の別の実施形態によれば、体積Ｗおよび時間Ｙにつき、Ｘの気流を供給するようにＴＲＶを構成するステップを追加として含む、上で定義されたような方法が開示される。
【０１６９】
本発明の別の実施形態によれば、Ｘ、Ｗ、およびＹの気流パラメータを、ユーザーによって構成するステップを追加として含む、上で定義されたような方法が開示される。
【０１７０】
本発明の別の実施形態によれば、直線気流、乱気流または両方を、ＰＮＴＩ内容積の少なくとも一部内に供給するようにＴＲＶを構成するステップを追加として含む、上で定義されたような方法が開示される。
【０１７１】
本発明の別の実施形態によれば、音減衰手段を含むＰＮＴＩ、ＴＲＶまたは両方を選択するステップ、ならびにＴＲＶ、ＰＮＴＩ内での空気の動き、ＭＲＤによって生成される音、ＰＮＴＩの外部の音、ＰＮＴＩに空気が入ることによって生成される音、およびそれらの任意の組合せ、から成るグループから選択されたものの音を少なくとも一部、減衰する手段を構成するステップを追加として含む、上で定義されたような方法が開示される。
【０１７２】
本発明の別の実施形態によれば、ＰＮＴＩを、可撓性の振動吸収材料、コネクタまたは両方によってＴＲＶに連結するステップを追加として含む、上で定義されたような方法が開示される。
【０１７３】
本発明の別の実施形態によれば、中央処理装置（ＣＰＵ）を含むＰＮＴＩを選択するステップを追加として含み、さらに、ＴＲＶ、少なくとも１つのセンサーから受信した信号に応答することによるＴＲＶの制御、ユーザーによって定義された値に従ったＴＲＶの制御、新生児の所定の健康状態に従ったＴＲＶの制御、およびそれらの任意の組合せ、から成るグループから選択されたものを制御するようにＣＰＵを構成するステップを含む、上で定義されたような方法が開示される。
【０１７４】
本発明の別の実施形態によれば、端部の一方にあって少なくとも１つの第２のＴＲＶが反対側の端部に配置されている、ＰＮＴＩ内部にある、ＰＮＴＩの外部にある、ＰＮＴＩの外部にあって管により空気連結されている、ＰＮＴＩから離れている、ＰＮＴＩから離れていて管により空気連結されている、およびそれらの任意の組合せ、から成るグループから選択されたところに配置された少なくとも１つの第１のＴＲＶを含む、ＰＮＴＩを選択するステップを追加として含む、上で定義されたような方法が開示される。
【０１７５】
本発明の別の実施形態によれば、ＰＮＴＩを、少なくとも１つの空気再循環機構（ＡＲＭ）と空気連結するステップを追加として含み、ＡＲＭが、（ａ）ＰＮＴＩの外部環境からＰＮＴＩの内部環境に向かう気流を収集するための少なくとも１つの空気吸込み口、および（ｂ）ＰＮＴＩの内部環境から流れた空気を収集するための少なくとも１つの再循環された空気の吹き出し口、を含む、上で定義されたような方法が開示される。
【０１７６】
本発明の別の実施形態によれば、追加として、再循環された気流、ＰＮＴＩの外部環境からの気流、ＰＮＴＩの内部環境に向かって流れる空気、およびそれらの任意の組合せ、から成るグループから選択された少なくとも１つの気流を調節するための少なくとも１つの気流調整器を含む、ステップを追加として含む、上で定義されたような方法が開示される。
【０１７７】
本発明の別の実施形態によれば、ＰＮＴＩが、少なくとも１つの空気バッフルを追加として含む、上で定義されたような方法が開示される。
【０１７８】
本発明の別の実施形態によれば、ＰＮＴＩが、少なくとも１つのエアフィルターを追加として含む、上で定義されたような方法が開示される。
【０１７９】
本発明の別の実施形態によれば、中にいる新生児の位置を迂回するように気流ドリフトを向けるようにＰＮＴＩを構成するステップを追加として含む、上で定義されたような方法が開示される。
【０１８０】
本発明の別の実施形態によれば、ＰＮＴＩを、外部から供給された加圧ガスへの流体連結によって連結するステップを追加として含む、上で定義されたような方法が開示される。
【０１８１】
本発明の別の実施形態によれば、ＰＮＴＩの少なくとも一部が、二重ジャケット壁構成（ＤＪＷ）を追加として含み、ＤＪＷが、穴のあいた内壁および完全で穴のあいていない外壁を含み、それにより、ＤＪＷが、事前に定義された幅（ｗ）および長さ（ｌ）を有する導管内の主縦軸に沿った、気流を促進する、上で定義されたような方法が開示される。
【０１８２】
本発明の別の実施形態によれば、二重ジャケット壁構成を含むＰＮＴＩを選択することにより、ＰＮＴＩの内容積を通気および少なくとも一部、音減衰するステップを追加として含み、外壁および内壁が両方とも、少なくとも一部、穴があいている、上で定義されたような方法が開示される。追加または代替として、二重ジャケット壁の間の導管が、少なくとも一部、騒音吸音材料で充填される。追加または代替として、導管は、音減衰手段を含む。
【０１８３】
本発明の別の実施形態によれば、幅および長さ（ｗ，ｌ）の少なくとも一部が、縦軸に沿って等しい、縦軸に沿って変化する、およびそれらの任意の組合せ、から成るグループから選択されている、ＰＮＴＩを選択するステップを追加として含む、上で定義されたような方法が開示される。
【０１８４】
本発明の別の実施形態によれば、ＰＮＴＩを、ＭＲＩで使えるカートと相互接続するステップを追加として含む、上で定義されたような方法が開示される。
【０１８５】
本発明の別の実施形態によれば、ＰＮＴＩと連結したカートを、ＭＲＤ穴に少なくとも一部、挿入されるように構成するステップを追加として含む、上で定義されたような方法が開示される。
【０１８６】
本発明の別の実施形態によれば、可動式基部、少なくとも１つの支持、少なくとも１つのＰＮＴＩ端部、およびそれらの任意の組合せ、から成るグループから選択されたところに配置された、ＴＲＶの少なくとも１つの通気モジュールを選択するステップを追加として含み、さらに、通気モジュールが少なくとも１つの管によってＰＮＴＩに連結されている、上で定義されたような方法が開示される。
【０１８７】
本発明の別の実施形態によれば、少なくとも１つの空気入口を含み、外部通気モジュール、外部加湿器、管、外部空気清浄器、外部加熱／冷却装置、外部濃縮薬剤投与装置、およびそれらの任意の組合せ、から成るグループからの入力を連結する、ＰＮＴＩを選択するステップを追加として含む、上で定義されたような方法が開示される。
【０１８８】
本発明の別の実施形態によれば、穿孔のうちの少なくとも１つが、形状記憶ポリマーで作られている、ＰＮＴＩを選択するステップ、ならびに穿孔を、少なくとも１つの第１の開いて構成された形状、および少なくとも１つの少なくとも一部閉じて構成された形状を有するように構成するステップを追加として含み、さらに、ポリマーの形状変化を、磁場、温度、ｐＨシフト、電流、電界、湿度、光、別の物質への曝露、圧力ストレス、およびそれらの任意の組合せ、から成るグループから選択されたものによってトリガーし、それにより穿孔を少なくとも一部開くか、または閉じるステップを含む、上で定義されたような方法が開示される。
【０１８９】
本発明の別の実施形態によれば、信号を受信して、穿孔を少なくとも一部、開くか、または閉じるように、穿孔のうちの少なくとも１つを構成するステップを追加として含む、上で定義されたような方法が開示される。
【０１９０】
本発明の別の実施形態によれば、穿孔のうちの少なくとも１つを、サイズ、量、位置、およびそれらの任意の組合せ、から成るグループから選択された方法で調整するステップを追加として含む、上で定義されたような方法が開示される。
【０１９１】
本発明の別の実施形態によれば、無孔層を外囲容器の外側に可逆的に取り付けるステップを追加として含む、上で定義されたような方法が開示される。
【０１９２】
本発明の別の実施形態によれば、穿孔のうちの少なくとも１つを、少なくとも部分的に密封するステップを追加として含む、上で定義されたような方法が開示される。
【０１９３】
本発明の別の実施形態によれば、単方向、双方向およびそれらの任意の組合せから成るグループから選択された方法で透過性がある穿孔を選択するステップを追加として含む、上で定義されたような方法が開示される。
【０１９４】
本発明の別の実施形態によれば、穿孔のうちの少なくとも１つに連結されたバッフルを操作するステップを追加として含む、上で定義されたような方法が開示される。
【０１９５】
本発明の別の実施形態によれば、少なくとも１つのエアフィルターを少なくとも１つの穿孔に連結するステップを追加として含む、上で定義されたような方法が開示される。
【０１９６】
本発明の別の実施形態によれば、多角形、円形、対称、非対称、およびそれらの任意の組合せ、から成るグループから選択された形状の穿孔のうちの少なくとも１つを有するＰＮＴＩを選択するステップを追加として含む、上で定義されたような方法が開示される。
【０１９７】
本発明の別の実施形態によれば、穿孔を、サイズが等しい、深さが等しい、形状が等しい、サイズが等しくない、深さが等しくない、形状が等しくない、およびそれらの任意の組合せ、から成るグループから選択するステップを追加として含む、上で定義されたような方法が開示される。
【０１９８】
本発明の別の実施形態によれば、穿孔のうちの少なくとも１つを、滑らかな縁部を有するように構成するステップを追加として含む、上で定義されたような方法が開示される。
【０１９９】
本発明の別の実施形態によれば、中にいる新生児の位置を迂回するように気流ドリフトを向けるように、穿孔のうちの少なくとも１つを構成するステップを追加として含む、上で定義されたような方法が開示される。
【０２００】
本発明の別の実施形態によれば、ユーザーによって事前に定義された、体積Ｗおよび時間Ｙにつき、Ｘの気流を可能にするように、少なくとも１つの穿孔を構成するステップを追加として含む、上で定義されたような方法が開示される。
【０２０１】
本発明の別の実施形態によれば、少なくとも一部が、雑音防止材で作られている、ＰＮＴＩを選択するステップを追加として含む、上で定義されたような方法が開示される。
【０２０２】
本発明の別の実施形態によれば、ＰＮＴＩが、ＰＮＴＩに入る気流の音、ＭＲＤによって生成される音、ＰＮＴＩ内の気流の音、外部環境によって生成される音、およびそれらの任意の組合せ、から成るグループから選択されたものを少なくとも一部、減衰するように構成された、音減衰手段を含む、ステップを追加として含む、上で定義されたような方法が開示される。
【０２０３】
本発明の別の実施形態によれば、穿孔を含むＰＮＴＩを選択し、穿孔のうちの少なくとも１つを、所定の音を減衰するためのサイズおよび形状を用いて構成して、所定の音を減衰するステップを追加として含む、上で定義されたような方法が開示される。
【０２０４】
本発明の別の実施形態によれば、複数の層から構成されたＰＮＴＩを選択するステップを追加として含む、上で定義されたような方法が開示される。
【０２０５】
本発明の別の実施形態によれば、層の材料のうちの少なくとも１つを、振動吸収、吸音、液体抵抗性、耐火性、リサイクル可能材料、使い捨て材料、殺菌可能材料、およびそれらの任意の組合せ、から成るグループから選択するステップを追加として含む、上で定義されたような方法が開示される。
【０２０６】
本発明の別の実施形態によれば、少なくとも１つの層を選択するステップを追加として含み、その少なくとも一部が穿孔を含む、上で定義されたような方法が開示される。
【０２０７】
本発明の別の実施形態によれば、温度センサー、動きセンサー、呼吸センサー、ガス濃度センサー、気流センサー、湿度センサー、ドア開閉センサー、重量センサー、ＲＦセンサー、気圧センサー、循環器活動センサー、磁場センサー、放射線センサー、およびそれらの任意の組合せ、から成るグループから選択された、少なくとも１つのセンサーを追加として含む、ＰＮＴＩを選択するステップを追加として含む、上で定義されたような方法が開示される。
【０２０８】
本発明の別の実施形態によれば、検知した情報をＣＰＵ、インジケータ、または両方に中継するようにセンサーを構成するステップを追加として含む、上で定義されたような方法が開示される。
【０２０９】
本発明の別の実施形態によれば、中央処理装置（ＣＰＵ）をＰＮＴＩに接続するステップを追加として含む、上で定義されたような方法が開示される。
【０２１０】
本発明の別の実施形態によれば、少なくとも１つのセンサーからの情報、気圧、温度、湿度、音レベル、ガス濃度、浮遊微小粒子数、およびそれらの任意の組合せ、から成るグループから選択された、ＰＮＴＩ内容積のパラメータの所定の値に応答して、穿孔を通過する気流を制御するようにＣＰＵを構成するステップを追加として含む、上で定義されたような方法が開示される。
【０２１１】
本発明の別の実施形態によれば、センサーから受信した信号に応答することにより、サイズ、透過性、量、位置およびそれらの任意の組合せ、から成るグループから選択された穿孔特性を制御するようにＣＰＵを構成するステップを追加として含む、上で定義されたような方法が開示される。
【０２１２】
本発明の別の実施形態によれば、中にいる新生児の位置を迂回するように気流を向けるために、穿孔を、開く角度、取り付けられたバッフルの操作、穿孔位置、シャッターの操作、穿孔のうちの少なくとも１つの閉開およびそれらの任意の組合せ、から成るグループから選択された手段によって構成するステップを追加として含む、上で定義されたような方法が開示される。
【０２１３】
本発明の別の実施形態によれば、ＰＮＴＩが、振動吸収材料、連結または両方を追加として含む、上で定義されたような方法が開示される。
【０２１４】
本発明の別の実施形態によれば、音を減衰すること、ＰＮＴＩの動きを最小限にすること、ＰＮＴＩを握りやすくすること、およびそれらの任意の組合せ、から成るグループから選択されたことのために構成された、テクスチャ化された外部の少なくとも一部を含む、ＰＮＴＩを選択するステップを追加として含む、上で定義されたような方法が開示される。
【０２１５】
本発明の別の実施形態によれば、ＰＮＴＩを生命維持装置に連結するステップを追加として含む、上で定義されたような方法が開示される。
【０２１６】
本発明の別の実施形態によれば、取扱者の手をＰＮＴＩの少なくとも１つの開口部に入れて、それにより、新生児を扱うステップを追加として含む、上で定義されたような方法が開示される。
【０２１７】
本発明の別の実施形態によれば、ＰＮＴＩを、内部、外部または両方の電源に接続するステップを追加として含む、上で定義されたような方法が開示される。
【０２１８】
本発明の一実施形態によれば、新生児の体温調節のための標準看護が、（ａ）新生児の体温調節に有用であり、新生児を収容するためのサイズおよび形状を用いて構成された内容積を画定する外囲容器を含み、近位端および反対側の遠位端をもつ主縦軸を有し、外囲容器が、少なくとも一部穴があけられている、受動型新生児搬送用保育器（ＰＮＴＩ）を取得すること、（ｂ）新生児をＰＮＴＩ内に収容すること、ならびに（ｃ）ＰＮＴＩを温度調節された環境に導入すること、のステップを含み、 
ＰＮＴＩが、少なくとも一部、穿孔を通して温度調節されており、さらに、以下のうちの少なくとも１つ、つまり（ａ）ＰＮＴＩ内の騒音レベルが６０デシベル未満である、（ｂ）ＰＮＴＩ内の騒音レベルが４５デシベル未満である、（ｃ）ＰＮＴＩ内の温度が、設定温度から最大でも２℃高いか、または低い、（ｄ）ＰＮＴＩ内のＣＯ２濃度が４％以下である、（ｅ）ＰＮＴＩ内のＯ２濃度が３０体積％を下回らず、かつ４０体積％を超えない、（ｆ）ＰＮＴＩ内のマットレスの上の気流速度が０．３５ｍ／秒以下である、（ｇ）ＰＮＴＩ利用時における新生児の体温調節に関連した合併症の総計が、新生児の体温調節合併症の平均値のｂ分の１であり、ｂは１．０５以上である、（ｈ）ＭＲＩ中のＰＮＴＩ利用時における患者の騒音由来のストレスからの唾液コルチゾールレベル指標の平均値が、ＭＲＩ中の平均値のｎ分の１であり、ｎは１．０５以上である、（ｉ）患者あたりのＭＲＩ繰返し数の平均数が、ＰＮＴＩ利用時には、患者のＭＲＩ中のＭＲＩ繰返しの平均数のｐ分の１であり、ｐは１．０５以上である、（ｊ）ＭＲＩ中のＰＮＴＩ利用時における患者の空間関連ストレスからの唾液コルチゾールレベル指標の平均値が、ＭＲＩ中の平均値のｑ分の１であり、ｑは１．０５以上である、（ｋ）ＰＮＴＩが、ＰＮＴＩの内容積内に蓄積された２００ｍｌまでの漏出量の発生時に継続して安全に使用される、（ｌ）ＰＮＴＩが、通常の使用時に１０°傾けられた場合、および搬送中に２０°傾けられた場合に安定性を保つ、（ｍ）ＰＮＴＩが、力が１００Ｎ以下の場合に転倒しない、（ｎ）ＰＮＴＩ利用時における患者のＭＲＩ関連の転倒インシデントの平均数が、患者のＭＲＩ関連の転倒インシデントの平均のｒ分の１であり、ｒは１．０５以上である、（ｏ）電気機器システムを含む、ＰＮＴＩの内容積内の放射電磁界が、ＥＭＣ（電磁適合性）に対する副通則の周波数範囲に対して最大で３Ｖ／ｍのレベルであり、さらに、電気機器が、製造業者によって指定された通りにその意図した機能を実行しているか、またはＥＭＣに対する副通則の周波数範囲に対して最大で１０Ｖ／ｍのレベルで安全損失を引き起こすことなく機能しなくなる、ならびに（ｐ）ＰＮＴＩ利用時に、製造業者、取扱者、ユーザー、操作者、医療職員、医療施設、医療施設経営者またはそれらの任意の組合せから成るグループから選択されたものの保険の支払い要求の平均数が、患者のＭＲＩ関連の保険支払い要求のｖ分の１であり、ｖは１．０５以上である、が当てはまる。
【０２１９】
ここで図１Ａを参照すると、本発明の円筒形実施形態を一定の尺度から外れて概略的に示している。新生児（１）が、受動的に温度調節される新生児搬送用保育器（８００）、ＰＮＴＩ内に置かれている、斜視図であり、ＰＮＴＩは、保育器が、その外部環境において任意の手段により、特に、任意の撮像装置、医用画像装置、治療装置により、それを通して温度調整される穿孔を有する。穿孔は、保育器全体に、または少なくともその一部に、均等に分布され得る。保育器（８００）は、新生児（１）もしくは任意の患者、またはその身体の一部を収容するためのサイズおよび形状を用いて構成される。追加または代替として、生命維持装置および監視システムが保育器と組み合わされ、それにより、新生児用の生命維持環境を提供する。さらに、保育器は、生命維持装置を通すか、またはそのドッキングのために構成されたポートを含み得る。追加または代替として、新生児は、保育器内に自由に置かれるか、またはベルト、ストラップ、ハガー（ｈｕｇｇｅｒ）、凹形状などの拘束手段によって拘束されて置かれ得る。追加または代替として、新生児は、患者用マットレスまたはベッド上に置かれる。患者置きの位置および高さは、撮像装置内の元の患者用ベッドに可能な限り近く、そのため、患者の位置は、撮像装置構成（例えば、ＭＲＩの磁場）に関して最適に置かれる。ＰＮＴＩは、任意の放射線、磁場、熱撮像などに対して透過性がある。追加または代替として、ＰＮＴＩは、一方向もしくは双方向に、またはそれらの任意の組合せで透過性がある。追加または代替として、ＰＮＴＩは、ＭＲＩで使える材料で作られている。追加または代替として、ＰＮＴＩの少なくとも一部が、ＭＲＤ穴に挿入されるように構成される。追加または代替として、ＰＮＴＩは、２０１１年７月７日に出願された「ＰＲＥＭＡＴＵＲＥ  ＮＥＯＮＡＴＥ  ＬＩＦＥ  ＳＵＰＰＯＲＴ  ＥＮＶＩＲＯＮＭＥＮＴＡＬ  ＣＨＡＭＢＥＲ  ＦＯＲ  ＵＳＥ  ＩＮ  ＭＲＩ／ＮＭＲ  ＤＥＶＩＣＥＳ」という名称の、その全体として参照用に本明細書に組み込まれる。米国特許第２０１３０１０９９５６  Ａ１号に記載されている通りである。
【０２２０】
引き続き図１Ａを参照すると、受動的に通気され、および／または温度調節される、従属搬送用新生児保育器（ＰＮＴＩ）の斜視図を概略的に示している。未熟児、乳児および幼児、成人患者および実験動物を、保育器、カート、ＭＲＩ装置などの、独立して温度調節し、および／または通気する医療機器によって提供される、温度調節され、および／または通気された環境内に、固定するか、またはもっと自由に収容するためにＰＮＴＩ（８００）が有用であるのは、本発明の範囲内である。ＰＮＴＩは、穴のあいた外囲容器で作られている。外囲容器は、全体に穴があいているか、または部分的に穴があいている。例えば、上部は、空気循環を可能にするために穴をあけることができるが、他方、下部は、容器の内側部分が汚染するリスクなしで、表面上に配置するのを可能にするために無孔であり得る。本発明の一実施形態では、ＰＮＴＩは、使い捨てであり、１回限りの使用のために作られ得る。例えば、容器は、新生児を病院内で搬送するための受動的な使い捨て容器であり得る。一実施形態では、ＰＮＴＩは、少なくとも一部、殺菌可能材料で作られ得るか、または完全に殺菌可能な容器であり得る。ＰＮＴＩは、保管する必要のために、折り畳み式でもあり得る。それは、折り畳み可能材料で作られ得るか、またはその折り畳みを可能にするヒンジを含み得る。ＰＮＴＩは、患者の少なくとも部分的な撮像を可能にする透明材料の少なくとも一部を含む。一実施形態では、ＰＮＴＩは、ＰＮＴＩの外部の環境の音（例えば、ＭＲＤによって生成される音）を少なくとも一部、減衰するように構成された、例えば、共鳴器、吸音裏張り、遮音材、能動的な音キャンセル装置などの、音減衰手段を含む。
【０２２１】
ここで図１Ｂを参照すると、本発明の矩形実施形態を一定の尺度から外れて概略的に示している。受動的に温度調節される新生児搬送用保育器（１０００）、ＰＮＴＩの斜視図であり、保育器が、その外部環境において任意の手段により、特に、任意の撮像装置、医用画像装置、治療装置などにより、それを通して温度調整される穿孔を有する。ＰＮＴＩは、保育器の内部空間（１０２０）内に新生児／患者を収容するように構成されている。ＰＮＴＩは、新生児を入れるため、取扱者の手を入れるため、治療装置を入れるため、およびそれらの任意の組合せのために構成された少なくとも１つの可逆的に閉じることが可能な開口部（１９００）を含む。この開口部は保育器の任意の部分および任意の面上にあり得る。引き続き図１Ｂを参照し、本発明の一実施形態によれば、ＰＮＴＩ（１０００）は、一方向または双方向の通気性のある外囲容器を備えて、少なくとも一部穴があいている。本発明のさらに別の実施形態によれば、容器（１０００）は、少なくとも一部、透明である。本発明のさらに別の実施形態によれば、ＰＮＴＩ（１０００）は、組立式、折り畳み式または格納式である。本発明のさらに別の実施形態によれば、ＰＮＴＩ（１０００）は、使い捨て可能な外囲容器である。本発明のさらに別の実施形態によれば、ＰＮＴＩ（１０００）は、ガラス、複合材料、ポリ（トリメチレンテレフタレート）（ＰＴＴまたは同様のＰＥＴ）、ポリ（メチルメタクリレート）、（ＰＭＭＡまたは同様のＰＨＭＭＡ）、ポリ塩化ビニル（容器）またはこれらのプラスチックに基づく混合物などの、ＭＲＩで使える材料で少なくとも一部、作られる。
【０２２２】
ここで図２Ａを参照すると、本発明の一実施形態の側断面図を一定の尺度から外れて概略的に示している。ＰＮＴＩ（８００）は、上部（７００）および側面（７０１）に穿孔を有し、その穿孔の少なくともいくつかを通して、ＰＮＴＩが受動的に温度調節される。ＰＮＴＩは、外部通気システムが採用されている（７０５）場所、限定されない例として、撮像装置内に置かれる。保育器内の気流は、空気が外部空間から穿孔（矢印７０３）を通って、矢印（７０７）によって示される新生児の周囲を流れるのを可能にする、不完全ブロック（７１０）などの手段によって、新生児に直接当たらないように構成される。この実施形態では、空気は、側面の穿孔（７０１）を通って外に流れ出て、そのため、保育器内の空気が再循環される。この実施形態では、気流が直接、新生児に向けられず、そのため、汚染を防ぐのに役立ち得る。
【０２２３】
ここで図２Ｂを参照すると、本発明の一実施形態の側断面図を一定の尺度から外れて概略的に示している。ＰＮＴＩ（８００）は、上部（７００）および側面（７０１）に穿孔を有し、その穿孔の少なくともいくつかを通して、ＰＮＴＩが受動的に温度調節される。ＰＮＴＩは、外部通気システムが採用されている（７０５）場所、限定されない例として、撮像装置内に置かれる。保育器に流れ込む空気は、煙、微生物、液滴、埃、芳香族分子汚染物質などの、任意の浮遊微小粒子をろ過するように構成されたエアフィルターを通過するように構成される。空気は、外部空間から穿孔（矢印７０３）を通って、矢印（７０６）によって示される新生児の近くを流れる。この実施形態では、空気が、側面の穿孔（７０１）を通って外に流れ出て、そのため、保育器内の空気が再循環される。
【０２２４】
ここで図３を参照すると、温度変化に応じて、ＰＮＴＩに流れ込む再循環された空気の量における変化を示しているグラフを一定の尺度から外れて概略的に示している。ＰＮＴＩの穿孔が（無孔の外層、またはハッチ、シャッター、スクリーン、可撓性材料、米国フロリダ州オーランド所在のＣＲＧから市販されているような、温度に応じて形状が変化するポリマーなどの、少なくとも１つの穿孔を開閉するように構成された任意の機構のいずれかによって）閉じられる場合。保育器が一定の温度環境に置かれているとき、（時点Ｘの前）温度は３６℃で一定に保たれる。再循環される空気の量も、外部の気流調整器によって一定（この例では５０％）に保たれる。一旦、新生児が入れられたＰＮＴＩが撮像装置内に置かれる（時点Ｘ）と、温度が変動し始め、例えば、ＰＮＴＩ内部の温度が低下して、可能な限り迅速にそれを再加熱する必要がある。温度変化に応答して、ＰＮＴＩ内で、穿孔が少なくとも一部、開かれて、再循環される気流の量を５０％から８０％に増やす。再循環された空気は、例えば暖かいので、ＰＮＴＩ内部の温度を３６℃に戻すのに役立つ。一旦、温度が安定すると、穿孔が再度、少なくとも一部、閉じられる。この動作は、限定されない例として、温度、湿度、ドリフト、およびガス濃度（例えば、Ｏ２、ＣＯ２など）のような、保育器の内部および／または外部の空気の空気パラメータを検知するように構成された局所センサーに従い得る。センサーは、検知した情報を、ＣＰＵ、制御装置、監視装置、移動通信ネットワーク、ローカル無線ネットワーク、インターネットなどにさらに伝送できる。穿孔は、窓またはシャッターの操作装置に連結された小型エンジン、または、例えば、光、電気、温度、液体への曝露などの刺激に反応する機構によって開くことができる。開およびまたは閉は、手動で、自動的に、またはその両方で行うことができる。開および／または閉は、所定の合図、または所定の検知された情報、アラームのトリガー、所定の新生児状態、手動操作などに応答するように構成できる。
【０２２５】
ここで図４Ａを参照すると、本発明の実施形態を一定の尺度から外れて概略的に示している。穿孔の様々な実施形態（１０６〜１１７）を含む、保育器の面（１０５）の一部が示されている。穿孔は、類似している、異なっている、または両方の組合せであり得る。穿孔は、永久に開いている（１０６、１１０、１１１、１１２、１０９、１１５）か、または少なくとも一部、閉じることができる（１１３、１１４、１１６、１０７）。永久に開いている穿孔は、外部的な密封によって閉じることができる。穿孔は、保育器の面から突き出た壁を有し得る（１１５、１０６、１０７）か、または有していない（１１０、１１２、１１１、１１３、１１４、１１６、１０９）。穿孔は、円形（１１０）、矩形（１０９）、多角形、対称または非対称などの、任意の形状である。穿孔は、保育器の面に対してある角度をなしている（１０６、１０７、および１１５）か、またはそれに平行であり得る（１１３、１０９、および１１０）。穿孔は、狭まっている開口部（１１１）、バッフルによって閉じることが可能な開口部、または操作しやすいシャッター（１１４）、絞り（１１６）、またはフィルター（１０８）を含み得る。追加または代替として、穿孔は、信号を受信して、絞りを開くおよび／または閉じる信号受信領域（１１７）を含み得る。信号は、有線または無線により、ＲＦ、ブルートゥース、赤外線、音、光、または任意の他の伝送手段などによって受信できる。追加または代替として、穿孔は、刺激に従い、開／閉構成の間で変わるように構成された形状記憶ポリマーから作られた可撓性材料を含む。
【０２２６】
ここで図４Ｂを参照すると、本発明の実施形態の側断面図を概略的に示している。例示されているのは、突き出ている穿孔（１２０〜１２３）の様々な実施形態を含む、新生児（１）を収容している、矩形実施形態でのＰＮＴＩ（８００）である。穿孔のうちの少なくとも１つ（１２０）は、エアフィルター（１２８）を含み得る。突出部は、単一の開口部（１２１、１２２）または複数（１２３）を含み得る。追加または代替として、穿孔は、開く、および／または閉じる（１２２）ように構成できる。追加または代替として、穿孔は、例えば、エアフィルター、バッフル、気流の方向を決める傾斜したシャッター（１２５）、加湿器、空気循環装置などを含む、取り外し可能な装置（１２４）に連結できる。追加または代替として、ＰＮＴＩは、少なくとも１つの開口部を含む。この開口部は、取扱者の手、または任意の治療装置などを通すために構成された、ドア、スリープなどである。開口部は、限定されない例として、取り外し可能なパネル（１２７）に連結された操作しやすいヒンジ（１２６）から成り、外側、内側、またはそれらの任意の組合せに開くように構成できる。
【０２２７】
ここで図５Ａ〜図５Ｇを参照すると、ＰＮＴＩの穿孔の側断面図の異なる実施形態を概略的に示している。図５Ａは、ｈをＰＮＴＩの壁（１３０）の厚さ（１３３）として示している。ｈの値は、可変、一定またはそれらの任意の組合せである。空気は、追加または代替として、少なくとも一部、吸音材料（１３１）で裏打ちされた、曲がった通路（１３２）を通って保育器に入り、および／または保育器から出る。図５Ｂは、ＰＮＴＩの壁（１３０）内の空気用の真っ直ぐな通路（１３４）を示している。図５Ｃは、ＰＮＴＩ壁（１３０）を通る真っ直ぐな空気の通路（１３６）を示している。ＰＮＴＩ壁（１３０）はさらに、保育器の内容積を、例えば、音、温度などのような外部環境から少なくとも一部、分離するように構成された充填材を含む。図５Ｄは、ＰＮＴＩ壁（１３０）の深さに沿った非対称の穿孔（１３７）を示している。この穿孔は、所定の音周波数を相殺するように構成された共鳴器として機能するように構成できる。図５Ｅは、間に空間を有する２つの壁（１３８、１３９）から成るＰＮＴＩの壁を示している、本発明の一実施形態を例示する。各壁は、後者と流体連結した真っ直ぐな管路または後者と流体連結した曲がった管路であり得る穿孔（１４０、１４１）を含み得る。追加または代替として、１３８と１３９との間の距離は、ＰＮＴＩの異なる部分に沿って、一定、可変またはそれらの組合せであり得る。図５Ｆは、少なくとも１つの穿孔（１４３）を含む保育器壁（１３０）の一実施形態の断面を一定の尺度から外れて示している。穿孔は、エアフィルター（１４２）によって少なくとも一部、覆われている。図５Ｇは、気流を異なる方向に向けるために構成された、矢印の方向に移動可能な、操作しやすいシャッター（１４４）に連結された、穿孔（１４４）を有するＰＮＴＩ壁（１３０）の別の実施形態を側断面図で概略的に示している。
【０２２８】
ここで図６Ａを参照すると、本発明の一実施形態を一定の尺度から外れて概略的に示している。ファンまたはダイソンの羽根の無いエアマルチプライアーなどの、通気機構を含む、少なくとも一部、穴のあいた外囲容器を含む、斜視図である。未熟児（１）、乳児および幼児、成人患者および実験動物を、保育器、カート、ＭＲＩ装置などの、独立して温度調節する医療機器によって提供される、温度調節された環境内に、固定するか、またはもっと自由に収容するためにＰＮＴＩ（８００）が有用であるのは、本発明の範囲内である。
【０２２９】
ＰＮＴＩは、温度調節し、および／または通気する医療機器（５００）によって温度調節されるか、または通気され得る。例えば、容器を搬送するために使用されるカートも、搬送中にＰＮＴＩを温度調節し得る。ＰＮＴＩはまた、新生児が撮像されている間、温度調節するＭＲＩによっても温度調節できる。同様に、ＰＮＴＩは、ＣＴスキャナ、Ｘ線装置または任意の他の医療機器によって温度調節できる。
【０２３０】
本発明のさらに別の実施形態によれば、外囲容器（８００）が、以下の１つまたは複数、つまり第２のファンなどの、通気手段、ペルティエモジュールまたはブランクにされた（ｂｌａｎｋｅｄ）温度調節もしくは空調構成などの、加熱／冷却手段、加湿手段、オーディオ／ビデオ手段、生命維持システムまたはそれらのインタフェース、発光体、少なくとも１つのセンサー、ＣＰＵ、少なくとも１つインジケータ、少なくとも１つの調整器および／または制御装置、ならびにそれらの任意の組合せ、を含むか、または別の方法で連結、好ましくは流体連結されている。追加または代替として、カプセルも、その上でそれを温度調節するために温度調節されたベントに連結されて、それを通気するだけである。
【０２３１】
ここで図６Ｂを参照すると、本発明の一実施形態を一定の尺度から外れて概略的に示している。ＰＮＴＩ（８００）の部分的な側面斜視図は、本発明のさらに別の実施形態に従った穿孔（７００）を含む、新生児（１）を収容するように構成された外囲容器を含む。ＰＮＴＩ（８００）は、前述の流体通気モジュールの変形を含む。ここで、通気システムは、ＰＮＴＩの近位端（１０１）に、通気モジュール（例えば、ファン１０３）、加熱／冷却モジュール（１０５）および風バッフル（１２１）を含む、少なくとも１つの温度調節システムを含む。少なくとも１つの事前に定義された位置、例えば、加熱／冷却モジュールとバッフルとの間に、空気攪乱手段がさらに配置されている（１３１）。これは、そのバッフルの前または後に、気流（１０５）を穏やかにする（１３２）ために、回転を相対的に遅くするように適合された、ファン前またはファン後の換気装置であり得る。攪乱手段は、ファン、複数ファン配置またはそのカスケード接続、空気ポンプ、ダイソン型の羽根の無いエアマルチプライアー、通気器具などの、能動的な部材、および／または、テクスチャ化されたろ過器、連続バリア内の湾曲した導管などの、受動的な部材から、限定されない方法で選択される。空気バッフルは、新生児と、近位端、遠位端またはその間のどこかの気流の発生元との間の任意の位置に置かれた、複数のバッフルであり得る。ファン１０３によって促進された気流（１２２）は、加熱されて（１０５）バッフル（１２１）の方に流され、それは、例えば、湾曲した部材、多角形部材、テクスチャ化された表面、１つまたは複数の開口部などを含む成形表面である。一実施形態では、空気は、空気攪乱手段を通って流れる。気流は、頭または脚を気流に向けて置かれた新生児（１）の身体に平行になるように構成される。
【０２３２】
ここで図７Ａを参照すると、本発明の一実施形態を一定の尺度から外れて概略的に示している。ＰＮＴＩ（８００）の透視図は、一実施形態では、２つの一部穴のあいた外囲容器（１６５、１６６）、および空気を外部環境から内容積に流すように構成された外側の外囲容器（１６６）に少なくとも連結された、通気モジュール、例えば、ファン、ジェット、送風機、圧縮機、ポンプなど（１６２）、を含む。空気が、２つの外囲容器の間を輪状に通過するように強制されて、穿孔（１６３）から空気を一方向または双方向に取り入れ、内側の外囲容器（１６５）の周囲を流され、穿孔（１６９、１６４）を通って内側の外囲容器に入る。空気は、限定されない例として、外側の外囲容器（１６６）の空気出口穿孔（１６０、１６１）に隣接して配置された、内側の外囲容器（１６５）の穿孔（１６７）を通って出る。空気の循環は、空気を再循環する迅速な手段およびＰＮＴＩの温度調節をするより効率的方法を提供する。加えて、通気モジュールが作動しているか否かに関わらず、ＰＮＴＩ（８００）は、その穿孔のいずれかを通してその環境からの受動的な通気を受ける。
【０２３３】
追加または代替として、ＰＮＴＩはさらに、少なくとも１つの第１の流体加熱／冷却モジュール（例えば、空調システム、赤外線ヒーター、水／オイル加熱ラジエーター、コイルヒーター、オープンコイル空気加熱器、円形オープンコイル空気加熱器、対流加熱器、直線または形成管状加熱器、石英管空気加熱器、コンデンサ型加熱器、ペルティエモジュールまたは同じものの任意の組合せ）を含む。
【０２３４】
内側の外囲容器は、新生児を収容するためのサイズおよび形状を用いて構成され、外側の外囲容器は、例えば、撮像装置、治療台、手術台などの医療機器内に可逆的に収納されるためのサイズおよび形状を用いて構成される。
【０２３５】
追加または代替として、２つの供給源（外部から受動的に供給されて通気され、および／または温度調節された空気、およびＰＮＴＩに連結された通気モジュールによって供給されて通気し、および／または温度調節された空気）からＰＮＴＩに流入する空気量の間の比率は、調整器によって制御される。ＰＮＴＩが新生児を収容していて、温度が安定した環境にある場合、調整器は、ほとんどの空気が周囲からのＰＮＴＩに流入するのを可能にする。この空気は、酸素が豊富である。しかし、ＰＮＴＩが開いているか、または環境温度が変化するとき、調整器は、低濃度の酸素しか有していないが、所望の温度を維持するのに役立つ、再循環された空気をＰＮＴＩに流す、温度調節された通気モジュールからの流れを可能にする。調整器は、温度降下の程度およびＰＮＴＩ内部の酸素濃度に従い、異なる比率で混合された空気の流れを可能にし得る。
【０２３６】
ここで図７Ｂを参照すると、ＰＮＴＩの一実施形態の側断面図を示す、本発明の一実施形態を概略的に示している。ＰＮＴＩ（８００）は、外側の外囲容器（１７４）および内側の少なくとも部分的な外囲容器（１７３）を含み、それにより、外部環境と、内側の外囲容器（１７５）内にいる新生児（１）との間に空気路（７）を形成する。２つの外囲容器壁の間の空気路の幅（ｗ）は、一定または可変である。空気路は、少なくとも一部穴があいていて、空気が、矢印Ａおよび矢印Ｂによって示されるように、外部環境から新生児の位置に向かって曲がって流れるように構成されている。一実施形態では、ＰＮＴＩは、内側の外囲容器内で空気の再循環を加速するように構成された空気攪乱手段（１７２）を含む。一実施形態では、攪乱手段は、ユーザーによって設定されたパラメータに従ってその動作を制御および調整する、センサー、ＣＰＵ、調整器、制御装置などに連結できる。
【０２３７】
ここで図８を参照すると、直線流および乱流を利用した温度変更に対する、時間における差（ΔＴ）を一定の尺度から外れて示している。直線流は、外部の温度調節通気モジュールによってＰＮＴＩに供給されるが、他方、乱流は、ＰＮＴＩに通気モジュールをさらに導入するか、またはそれと流体連結することによって供給できる。図中のグラフは、温度における遷移を引き起こす事象の後に、ＰＮＴＩがその指定された温度に戻るためにかかる時間を説明する。Ｘ１は、（指定された温度である温度Ｙ２からの）温度における低下を引き起こす事象（保育器のドアが開いたような）が生じた時間を表す。ポイントＸ２は、温度調節通気モジュールがＰＮＴＩを温め始めた時間を表す。実線は、乱流による加熱を表し、他方、破線は、直線流による加熱を表す。乱流は、ＰＮＴＩ環境を、直線流よりもずっと速く温めることが確認できる。
【０２３８】
ここで図９を参照すると、本発明の一実施形態を一定の尺度から外れて示している。ＰＮＴＩの透視図が示されており、その遠位端において温度調節通気モジュールと連結された、新生児（１）を収容している、少なくとも一部穴のあいた外囲容器を含んでいる。通気モジュールは、少なくとも１つの気流手段（例えば、ファン、１８１）、および空気が新生児に向かって、新生児の身体と平行な直線流（１８２）で通過する空気加熱モジュール（１８０）を含む。さらに、ＰＮＴＩは、少なくとも一部、ＭＲＤ（３００）穴（１００）に挿入されるように構成されて、その中に収容された新生児のスキャンを可能にする。温度調節通気モジュールは、ＰＮＴＩ端部のいずれかで連結でき、いずれかの側でＭＲＤ穴から突き出得る。
【０２３９】
ここで図１０Ａを参照すると、本発明の一実施形態を概略的に示している。ＰＮＴＩ（８００）の透視図は、穴のあいていない、第２の外側の固体の外囲容器（２６０）によって囲まれ、新生児（１）を中に収容するためのサイズおよび形状を用いて構成された、少なくとも一部穴のあいた外囲容器（２６１）を含む。温度調節されたベント（１０１）が細長い形状の端部の一方に連結されて、外部環境から、外囲容器の間に形成された空間への空気の流れを可能にする。空気は、加熱／冷却モジュール（１２１Ａ）を通って流れる。追加または代替として、温度調節された通気モジュールは、少なくとも１つのエアフィルターおよび少なくとも１つのバッフル（１２２）を含む。保育器は、その内側部分に、例えば、上部の二重壁構成を含む外側の外囲容器（２５０）および内側の外囲容器（２５１）によって形成される二重ジャケット壁の構成を含む。乳児（１）を包む、それらの内側および外側の壁は、効果的な気流（１０８）を供給する方法で層状にされている。外側の壁は、連続した外囲容器または少なくとも一部穴のあいた外囲容器であり得る。追加または代替として、外側の外囲容器は、少なくとも１つの空気出口および／または少なくとも１つの空気吸込み口を含む。内壁は、少なくとも一部穴があいている。２つの外囲容器の壁によって提供された空気路は、幅（ｗ）によって特性化される。ｗの値は、少なくとも一部を狭い幅（ｗ）にして、少なくとも一部を比較的広い幅（Ｗ）にするために（Ｗ＞ｗ）、空気路（２５３）に沿って、すなわち、縦軸（１０１〜１０２）に沿って、等しいか、または等しくない。
【０２４０】
かかるシステムの一例では、周囲空気が、例えば、近位端（１０１）から、例えば、遠位端（１０２）にファンによって流され、ヒーターによって温度調節される。それは、次いで、バッフル（１２１Ａ）により、壁（２６０、２６１）の上部（乳児の天井側）二重ジャケット内に提供された幅（ｗ）の導管に連続的に、または非連続的に強制される。内側の壁（２６１）は穴があいており、それにより、空気が循環するのを可能にして、環境（２５４）を温度調節しながら、比較的高い二酸化炭素濃度の空気が保育器（２５４）の内部環境から出て、比較的低い二酸化炭素濃度の空気が流入する。引き続き図１０Ａを参照すると、無孔の外壁（２６０）および穴のあいた内壁（２６１）の２つの同心の平行層によって提供されて、直線気流（１０８）を効果的であるが穏やかな空気循環（２０１）に供給する、下部の二重ジャケット（乳児のベッド側）を示している。
【０２４１】
本発明のさらに別の実施形態によれば、ＰＮＴＩ（８００）は円形または多角形形状、単一の包囲壁または複数の包囲壁を有する。本発明のさらに別の実施形態によれば、ＰＮＴＩ（８００）は、乳児をそこから入れることができる少なくとも１つの開口部を含む。本発明の一実施形態では、ＰＮＴＩの内側の外囲容器は、使い捨てであり、１回限りの使用のために作られる。例えば、容器は、新生児を病院内で搬送するための受動的な使い捨て容器であり得る。
【０２４２】
ここで図１０Ｂを参照すると、壁（２６０、２６１）の上部（乳児の天井側）二重ジャケットの一部の断面を、限定されない方法で、一定の尺度から外れて概略的に示している。ここで再び、温度調節された気流（１０８）が、保育器（１０１）の近位側から流れる。幅（ｗ）は導管（２５３）に沿って等しく、空気の流入および流出（２０２Ｂ、２０２Ａ）を提供する。
【０２４３】
ここで図１０Ｃを参照すると、壁（２６０、２６１）の上部（乳児の天井側）二重ジャケットの一部の断面部分を、限定されず、一定の尺度から外れて概略的に示している。温度調節された気流（１０８）が、保育器（１０１）の近位側から導管（２５３）を経由して流れる。幅は、当初の幅（ｗ）が狭く、その後、幅が増加する（Ｗ）ように変化する。ベンチュリー効果に起因して、高圧で清浄な温度調節された空気が、導管流出（２０２Ａ）の近位側で保育器（２５４）の内部環境に向かって流れる。導管の遠位部で、幅（Ｗ）が比較的広くなるにつれ、再度、ベンチュリー効果に起因して、気圧が減少し、穴のあいた内壁（２５１）を経た導管内への空気流入（２０２Ｂ）が容易になる。導管２５３は、位置２５４でその幅が広がる。従って、新生児の口が、導管２５３の幅が広がる、位置２５４に向いているか、またはそうでなければ、その領域に隣接してある場合、二酸化炭素が効果的に、静かに、かつ安全に、乳児の口の周辺領域から取り除かれる。同時に、温度調節された清浄な空気が、制御された方法で、新生児の頭から離れた位置で、乳児の周囲に強制される。
【０２４４】
ここで図１０Ｄを参照すると、壁（２６０、２６１）から形成された上部の新生児の天井側二重ジャケットの一部の断面部分を、限定されず、一定の尺度から外れて、概略的に示している。ここで再び、温度調節された気流（１０８）が、ＰＮＴＩ（１０１）の近位側から導管（２５３）を経て流れる。幅は、当初の幅（Ｗ）が導管に沿って幅（ｗ）まで減少するように変化し、前述したベンチュリー効果に起因して、導管の近位側内の低圧の気流が、二酸化炭素の濃い気流を導管（２０２Ｂ）に向かって排出し、同時に、遠位側で高圧の気流が清浄で温度調節された気流を導管からＰＮＴＩ（２５４）の内部環境に強制する。追加または代替として、この構成は、図１０Ｂにおける層流とは違って、２つの壁の間で形成された空間のより高速な温度変化を促進する、乱気流を生じる。
【０２４５】
図１０Ｂ〜図１０Ｄを参照する。図１０Ｃおよび図１０Ｄと同様に、導管に沿った幅（ｗ）における変化を示し、変化は、導管の長さ（ｌ）においても生じ得、同様のベンチュリー効果を引き起こす。
【０２４６】
ここで図１１を参照すると、本発明の一実施形態を、限定されず、一定の尺度から外れて示している。ＰＮＴＩ（８００）は、新生児、赤ちゃん、幼児、患者、動物などを収容するためのサイズおよび形状を用いて構成された、細長い外囲容器を含む。外囲容器は、例えば、通気モジュール、加熱／冷却気流装置、温度調節されたベント、加湿器、特定の濃度の所定のガス供給装置などの、装置内に通気するための手段を、少なくとも指定された患者台の位置内に有する、医療分析装置、医療スキャン装置、医療撮像装置（例えば、ＭＲＤ、Ｘ線、ＣＴスキャナ、カート、保育器）、治療装置または機器、手術台／機器など（３００）の内部に収容されるように構成された外側寸法を有する。医療機器から流れる気流（１０８）が、穿孔および／または少なくとも１つの開口部を通ってＰＮＴＩに入り、少なくとも一方の端部上の穿孔を通って流れる。医療機器からの気流は、上、下、後ろ（例えば、ＭＲＤの開いた穴の遠位側から）およびそれらの任意の組合せの、任意の方向（１１００）から流れる。例えば、ＭＲＤの開いた穴（１１１０）の開口部の近くに位置づけられた、ＰＮＴＩの近位端における穿孔は、ＰＮＴＩが通気された装置内にある場合、主に空気出口として機能する。ＡＮＴＩの上または下を基礎とする装置がなく、それは、撮像にとって、磁場アイソセンターに関して、スキャンされる被験者の位置が高品質の撮像にとって重要である、ＭＲＩにおいてとりわけ、非常に適切である。ＰＮＴＩは、医療的に生じた様々な検査中に、新生児の体温調節のための解決策、例えば、撮像中の体温調節を提供する。
【０２４７】
本発明の一実施形態では、ＰＮＴＩは、使い捨てであり、１回限りの使用のために作られる。例えば、容器は、新生児を病院内で搬送するための受動的な使い捨て容器であり得る。
【０２４８】
ＰＮＴＩは、保管する必要のために、折り畳み式でもあり得る。それは、折り畳み可能材料で作られ得るか、またはその折り畳みを可能にするヒンジを含み得る。
【０２４９】
引き続き図１１を参照すると、通気し、および／または温度調節するＭＲＩ装置（３００）によって通気され、および／または温度調節されるためのＰＮＴＩの透視図を概略的に示している。ＰＮＴＩ（８００）は、全ての適用規制、とりわけ、以下の規格およびその項に一致する全ての手段を有する。ＡＮＳＩ／ＡＡＭＩ／ＩＥＣ  ６０６０１−２−２０：２００９医用電気機器−第２−２０部、乳児搬送用保育器の基本的な安全性および本質的な性能に対する特定の要件、およびさらに具体的には２０１．３．２０１項、気温が、オペレータによって設定された値に近い値に、気温センサーによって自動的に制御されるＡＩＲ  ＣＯＮＴＲＯＬＬＥＤ  ＴＲＡＮＳＰＯＲＴ  ＩＮＣＵＢＡＴＯＲ（空調された搬送用保育器）、２０１．３．２０２項ＡＶＥＲＡＧＥ  ＴＥＭＰＥＲＡＴＵＲＥ（平均温度）定常温度状態中に達成された区画内の任意の指定された点において一定の間隔で取られた温度測定値の平均、２０１．３．２０３項ＡＶＥＲＡＧＥ  ＴＲＡＮＳＰＯＲＴ  ＩＮＣＵＢＡＴＯＲ  ＴＥＭＰＥＲＡＴＵＲＥ（平均搬送用保育器温度）定常温度状態中に達成された一定の間隔で取られた乳児搬送用保育器温度測定値の平均、２０１．３．２０４項ＢＡＢＹ  ＣＯＮＴＲＯＬＬＥＤ  ＴＲＡＮＳＰＯＲＴ  ＩＮＣＵＢＡＴＯＲ  ＡＩＲ  ＣＯＮＴＲＯＬＬＥＤ  ＴＲＡＮＳＰＯＲＴ  ＩＮＣＵＢＡＴＯＲ（乳児制御搬送用保育器空調搬送用保育器）オペレータによって設定された制御温度に従い皮膚温度センサーによって測定されるように温度を維持するために、保育器の気温を自動的に制御する追加の機能を有する、乳児制御保育器として動作する乳児搬送用保育器がＩＥＣ  ６０６０１−１−１０に定義されたような生理的閉ループ制御装置であることに留意、２０１．３．２０５項ＣＯＭＰＡＲＴＭＥＮＴ（区画）乳児を入れることを意図した環境に制御されたエンクロージャであり、乳児を見るのを可能にする透明部分（複数可）を備える、２０１．３．２０６項ＣＯＮＴＲＯＬ  ＴＥＭＰＥＲＡＴＵＲＥ（制御温度）温度制御で選択された温度、２０１．３．２０７項ＩＮＦＡＮＴ  ＰＡＴＩＥＮＴ（乳児患者）３か月までの年齢で体重が１０ｋｇ未満、２０１．３．２０８項ＩＮＦＡＮＴ  ＴＲＡＮＳＰＯＲＴ  ＩＮＣＵＢＡＴＯＲ（乳児搬送用保育器）区画に装備されている可搬型ＭＥ機器および主に区画内の加熱された空気によって乳児の環境を制御するための手段を備えた可搬型電源、２０１．３．２０９項ＳＫＩＮ  ＴＥＭＰＥＲＡＴＵＲＥ（皮膚温度）皮膚温度センサーが配置されている点における乳児の皮膚の温度、２０１．３．２１０項ＳＫＩＮ  ＴＥＭＰＥＲＡＴＵＲＥ  ＳＥＮＳＯＲ（皮膚温度センサー）乳児の皮膚温度を測定することを意図した検出装置、全てが、全体として参照により本明細書に組み込まれる。
【０２５０】
ここで図１２を参照すると、通気し、および／または温度調節するＭＲＩ装置（１２００）によって通気され、および／または温度調節されるＰＮＴＩ（８００）の透視図を、限定されず、一定の尺度から外れて概略的に示している。ＰＮＴＩ（８００）および調整するＭＲＩ装置は、全ての適用規制、とりわけ、前述の規格およびその項に一致する全ての手段を有する。図１２は、独立して温度調節されるＭＲＩ（ＩＴ−ＭＲＩ）、および独立して温度調節される新生児の保育器（ＩＴＮＩ）を含む、独立して温度調節される装置内の未熟児を撮像するための本発明の一実施形態に従った手段および方法を示す。医療用の独立して通気される装置（１２００）は、空気を、その装置内に置かれたＰＮＴＩの方向に、例えば、上、下、後ろ、およびそれらの任意の組合せなどの任意の方向から流すことができると同時に、空気が前面（限定されない例として、ＭＲＤ穴の近位側の開口部）から循環して出る、少なくとも１つの通気モジュール（１２２０）を含む。空気は、ＰＮＴＩの穿孔を通過する。ＰＮＴＩは、必要な場合に、空気（１２４０）をＰＮＴＩ（８００）から出し、および／またはＰＮＴＩに入れるようにさらに構成された、ＰＮＴＩ（１２３０）に可逆的に取り付けるか、またはそれから取り外すことができる通気モジュールにも連結できる。
【０２５１】
一実施形態では、医療機器は、ＰＮＴＩの前面から空気を流すようにも構成され、空気が反対の方向に流されて、医療機器の遠位側において特別に構成されたポートから出る。
【０２５２】
ここで図１３Ａを参照すると、本発明の一実施形態を一定の尺度から外れて示している。カート（１３６０）と連結されたＰＮＴＩ（１３００）の側面図。一実施形態では、カートはＭＲＩで使える材料で作られている。カートは、可動式基部（１３１０）、および少なくとも１つの支持柱（１３２０）を含む。ＰＮＴＩは、単方向、双方向（１３４０）またはそれらの任意の組合せの穿孔（１３３０）を含む。穿孔は、ＰＮＴＩが、それが配置されている環境によって、または独立して温度調節する医療機器（例えば、穴通気モジュールを含むＭＲＤ）によって、受動的に温度調節されるのを可能にする。ＰＮＴＩは、例えば、任意の放射線、磁場、ＲＦ、Ｘ線、熱撮像などに対して透過性がある。ＰＮＴＩは、患者の少なくとも部分撮像を可能にする透明材料（１３５０）の少なくとも一部を含む。一実施形態では、２０１４年５月１８日に出願された「ＡＮ  ＭＲＤ  ＡＳＳＥＭＢＬＹ  ＯＦ  ＳＣＡＮＮＥＲ  ＡＮＤ  ＣＡＲＴ」という名称の米国特許出願第６１／９９４，９０１号に示されているように、カートは、ＭＲＩ穴に挿入可能である。
【０２５３】
ここで図１３Ｂを参照すると、本発明の一実施形態を一定の尺度から外れて示している。カート（１３６０）と連結されたＰＮＴＩ（１３００）の側面図。一実施形態では、カートはＭＲＩで使える材料で作られている。カートは、可動式基部（１３１０）、および少なくとも１つの支持柱（１３２０）を含む。ＰＮＴＩは、単方向（１３４１、１３４２）、双方向またはそれらの任意の組合せの穿孔（１３３０）を含む。穿孔は、ＰＮＴＩが、それが配置されている環境によって、または独立して温度調節する医療機器（例えば、穴通気モジュールを含むＭＲＤ）によって、受動的に温度調節されるのを可能にする。ＰＮＴＩと連結されたカートは、ＰＮＴＩ端部（近位もしくは遠位、または両方）に継続的に連結された少なくとも１つの通気モジュールを含む。通気モジュール（１３４５）は、空気をＰＮＴＩ（１３４３）に入れる、ＰＮＴＩから出す、またはその両方を行うように構成された、少なくとも１つの気流装置（例えば、ファン、圧縮機、送風機など）を含む。追加または代替として、通気モジュールは、加熱およびまたは冷却装置、少なくとも１つのエアフィルター、調整器、制御装置、加湿器、少なくとも１つのバッフル、およびそれらの任意の組合せを含む。カートおよび／またはカートカン（ｃａｒｔ  ｃａｎ）は、一実施形態では、生命維持装置または生命維持装置のためのポートおよび／もしくは連結をさらに含む。カートＰＮＴＩは、例えば、任意の放射線、磁場、ＲＦ、Ｘ線、熱撮像などに対して透過性がある。ＰＮＴＩは、患者の少なくとも部分撮像を可能にする透明材料の少なくとも一部を含む。一実施形態では、ＰＮＴＩは、ＰＮＴＩの外部の環境の音（例えば、ＭＲＤによって生成される音）を少なくとも一部、減衰するように構成された、例えば、共鳴器、吸音裏張り、遮音材、能動的な音キャンセル装置など、音減衰手段を含む。追加または代替として、ＰＮＴＩは、カート（１３６０）上に可逆的に設置できる。
【０２５４】
ここで図１３Ｃを参照すると、本発明の一実施形態を一定の尺度から外れて示している。ＰＮＴＩは、可動式基部（１３１０）、および少なくとも１つの支持（１３２０）によって連結された上棚（１３５５）を有するカート（１３６０）上に可逆的に設置されている。ＰＮＴＩは、新生児／患者をその中に収容するように構成されている。一実施形態では、ＰＮＴＩは、使い捨てであり、各使用前、または各新生児もしくは患者に対して変えられ得る。ＰＮＴＩは、永久的に設置できるか、または一時的に設置できる。ＰＮＴＩは、単方向、双方向または両方（１３４０）の穿孔（１３３０）を含む。これらの穿孔は、ＰＮＴＩが、ＰＮＴＩの外部のシステムまたはモジュールによって受動的に通気され、および／または温度調節されるのを可能にする。カートは、カート基部（１３１０）内、カート支持（１３２０）内、カート取付け棚（１３５５）内、棚の上の位置内、支持の延長部（１３５７）として、およびそれらの任意の組合せに配置された少なくとも１つの通気モジュールを含む。追加または代替として、通気モジュールは、複数の気流手段（例えば、ファン）を含む。空気は、カート基部に配置されたファン（１３７２）により、カート（１３１０）の基部内の開口部（空気吸込み口）を通して流される（１３９５）。空気は、少なくとも１つの気流手段の近くに配置された少なくとも１つの空気攪乱手段（１３９０）を通してさらに流される。空気は、追加または代替として、ファン（１３７０、１３７１）により、カート支持を通してさらに流される。空気は、少なくとも１つの空気入口（１３８０）を通って流れ得る。この実施形態では、新生児に届く雑音が、ＰＮＴＩ内に入れられた新生児から相対的に離れたカート内の通気モジュールの位置に起因して、減衰される。追加または代替として、空気は、逆に流れることができ、穿孔（１３３０）の少なくともいくつかを通ってＰＮＴＩに入り、カートへの空気出口（１３８０）を通って支持からカート基部へ流れて、外部空間へ出る。この実施形態では、カートは、ＰＮＴＩと流体連結している。追加または代替として、ＰＮＴＩは少なくとも１つの音減衰手段を含む。追加または代替として、ＰＮＴＩおよびカートは、ＭＲＩで使える材料から成る。追加または代替として、カートおよびＰＮＴＩは、生命維持装置およびまたはかかる装置のための連結／ポートを含む。ＰＮＴＩに連結されたカートは、ＭＲＤ、スキャン装置、手術装置、治療装置に少なくとも一部挿入されるサイズおよび形状を用いて構成され、それにより、検査中に新生児の体温調節および／または通気を可能にする。ＰＮＴＩは、例えば、ＲＦ、磁場、Ｘ線、温度読取り手段、赤外線、放射線などの、撮像／検査を実施する関連手段に対してさらに透過性がある。追加または代替として、通気モジュールが、所定の値、少なくとも１つのセンサーからフィードバックされた値、制御装置を用いた手動命令およびそれらの任意の組合せに従って、流される空気を能動的に調整するように構成された調整器に連結される。
【０２５５】
この実施形態では、新生児／患者が、元の撮像装置の患者台に可能な限り近接して、撮像装置内に最適に置かれるが、これは、ＰＮＴＩから離れて配置された装置で温度調節／通気されているＰＮＴＩに起因し、従って、ＰＮＴＩの上部、底部、背面に体積を追加しない。
【０２５６】
本発明のさらに別の実施形態によれば、例えば、支持上に配置された、１つまたは複数の上部の温度調節モジュールが、通気、加熱、加湿および周囲空気をろ過し、それを高い近位開口、天蓋内の上部ゾーンを経て、出口流れによる上部開口を経て流すために提供されている。追加または代替として、例えば、支持上に配置された複数のもっと低い温度調節モジュールが、通気、加熱、加湿および周囲空気をろ過し、それを低い近位開口、保育器の低ゾーンを経て、出口流れによる下部開口を経て流すために提供されている。
【０２５７】
本発明の一実施形態による、新生児の体温調節に有用であり、新生児を収容するためのサイズおよび形状を用いて構成された内容積を含み、その内容積が、近位端および反対側の遠位端をもつ主縦軸を有する外囲容器によって画定され、外囲容器が、少なくとも一部穴があけられていて、さらに、ＰＮＴＩが独立して通気される医療機器によって通気されるように構成されている、受動型新生児搬送用保育器（ＰＮＴＩ）。
【０２５８】
本発明の一実施形態による、新生児の体温調節に有用であり、新生児を収容するためのサイズおよび形状を用いて構成された内容積を含み、その内容積が、近位端および反対側の遠位端をもつ主縦軸を有する外囲容器によって画定され、外囲容器が、少なくとも一部穴があけられていて、さらに、ＰＮＴＩが独立して通気される医療機器によって通気されるように構成されており、さらに、 医療機器が、保育器、カート、磁気共鳴装置（ＭＲＤ）、ＣＴスキャナ、Ｘ線装置、超音波検査装置、エラストグラフィ、蛍光透視装置、光音響撮像装置、サーモグラフィ装置、機能的近赤外分光法、医療用写真装置および核医学機能的撮像装置、陽電子放出断層撮影（ＰＥＴ）装置、手術台、治療台、ならびにそれらの任意の組合せ、から成るグループから選択される、受動型新生児搬送用保育器（ＰＮＴＩ）。
【０２５９】
本発明の一実施形態による、新生児の体温調節に有用であり、新生児を収容するためのサイズおよび形状を用いて構成された内容積を含み、その内容積が、近位端および反対側の遠位端をもつ主縦軸を有する外囲容器によって画定され、外囲容器が、少なくとも一部穴があけられていて、さらに、ＰＮＴＩが独立して通気される医療機器によって通気されるように構成されており、さらに、 医療機器が、保育器、カート、磁気共鳴装置（ＭＲＤ）、ＣＴスキャナ、Ｘ線装置、超音波検査装置、エラストグラフィ、蛍光透視装置、光音響撮像装置、サーモグラフィ装置、機能的近赤外分光法、医療用写真装置および核医学機能的撮像装置、陽電子放出断層撮影（ＰＥＴ）装置、手術台、治療台、ならびにそれらの任意の組合せ、から成るグループから選択され、さらに、ＰＮＴＩが、ＭＲＤ穴に挿入される、医療機器の患者台に置かれる、医療機器の患者台の代わりに置かれる、およびそれらの任意の組合せ、から成るグループから選択されたところに置かれるためのサイズおよび形状を用いて構成されている、受動型新生児搬送用保育器（ＰＮＴＩ）。
【０２６０】
本発明の一実施形態による、新生児の体温調節に有用であり、新生児を収容するためのサイズおよび形状を用いて構成された内容積を含み、その内容積が、近位端および反対側の遠位端をもつ主縦軸を有する外囲容器によって画定され、外囲容器が、少なくとも一部穴があけられていて、さらに、ＰＮＴＩが独立して通気される医療機器によって通気されるように構成されていて、さらに、以下のうちの少なくとも１つ、つまり（ａ）外囲容器が、単方向、双方向およびそれらの任意の組合せから成るグループから選択された方法で透過性がある、（ｂ）穿孔が、通気に対して少なくとも一部、透過性がある、ならびに（ｃ）ＰＮＴＩが、アルファ、ベータ、ガンマ、Ｘ線、磁気、電離、熱、赤外線、音、およびそれらの任意の組合せから成るグループから選択された放射に対して透過性がある、が当てはまり、さらに、ＰＮＴＩが、気流を減速させて穏やかにするための空気攪乱手段（ＡＴＭ）を追加として含む、受動型新生児搬送用保育器（ＰＮＴＩ）。
【０２６１】
本発明の一実施形態による、新生児の体温調節に有用であり、新生児を収容するためのサイズおよび形状を用いて構成された内容積を含み、その内容積が、近位端および反対側の遠位端をもつ主縦軸を有する外囲容器によって画定され、外囲容器が、少なくとも一部穴があけられていて、さらに、ＰＮＴＩが独立して通気される医療機器によって通気されるように構成されており、さらに、 医療機器が、保育器、カート、磁気共鳴装置（ＭＲＤ）、ＣＴスキャナ、Ｘ線装置、超音波検査装置、エラストグラフィ、蛍光透視装置、光音響撮像装置、サーモグラフィ装置、機能的近赤外分光法、医療用写真装置および核医学機能的撮像装置、陽電子放出断層撮影（ＰＥＴ）装置、手術台、治療台、ならびにそれらの任意の組合せ、から成るグループから選択され、さらに、ＰＮＴＩが、ＭＲＤ穴に挿入される、医療機器の患者台に置かれる、医療機器の患者台の代わりに置かれる、およびそれらの任意の組合せ、から成るグループから選択されたところに置かれるためのサイズおよび形状を用いて構成され、さらに、ＰＮＴＩの少なくとも一部がＭＲＩで使える材料で作られていて、さらに、ＰＮＴＩの少なくとも一部が、振動吸収、吸音、液体抵抗性、耐火性、リサイクル可能材料、使い捨て材料、少なくとも一部透明材料、可撓性材料およびそれらの任意の組合せ、から成るグループから選択された材料を含む、受動型新生児搬送用保育器（ＰＮＴＩ）。
【０２６２】
本発明の一実施形態による、新生児の体温調節に有用であり、新生児を収容するためのサイズおよび形状を用いて構成された内容積を含み、その内容積が、近位端および反対側の遠位端をもつ主縦軸を有する外囲容器によって画定され、外囲容器が、少なくとも一部穴があけられていて、さらに、ＰＮＴＩが独立して通気される医療機器によって通気されるように構成され、さらに、以下のうちの少なくとも１つ、つまり（ａ）ＰＮＴＩが、生命維持装置、管または両方をドッキングするか、または通すために構成された少なくとも１つのポートを含む、（ｂ）ＰＮＴＩが、新生児を入れるための少なくとも１つの開口部を含む、（ｃ）ＰＮＴＩが、取扱者の手が入れられるように構成された少なくとも１つの開口部を含む、および（ｄ）ＰＮＴＩが、外囲容器の外側に可逆的に取付け可能な無孔層を追加として含む、が当てはまり、さらに、前述したようなＰＴＩが、ＰＮＴＩと流体連結した少なくとも１つの温度調節ベント（ＴＲＶ）を追加として含む、受動型新生児搬送用保育器（ＰＮＴＩ）。
【０２６３】
本発明の一実施形態による、新生児の体温調節に有用であり、新生児を収容するためのサイズおよび形状を用いて構成された内容積を含み、その内容積が、近位端および反対側の遠位端をもつ主縦軸を有する外囲容器によって画定され、外囲容器が、少なくとも一部穴があけられていて、さらに、ＰＮＴＩが独立して通気される医療機器によって通気されるように構成され、さらに、以下のうちの少なくとも１つ、つまり（ａ）ＰＮＴＩが、生命維持装置、管または両方をドッキングするか、または通すために構成された少なくとも１つのポートを含む、（ｂ）ＰＮＴＩが、新生児を入れるための少なくとも１つの開口部を含む、（ｃ）ＰＮＴＩが、取扱者の手が入れられるように構成された少なくとも１つの開口部を含む、および（ｄ）ＰＮＴＩが、外囲容器の外側に可逆的に取付け可能な無孔層を追加として含む、が当てはまり、さらに、前述したようなＰＴＩが、ＰＮＴＩと流体連結した少なくとも１つの温度調節ベント（ＴＲＶ）を追加として含み、さらに、以下のうちの少なくとも１つ、つまり（ａ）ＴＲＶが端部の少なくとも一方に配置されていて、さらに、ＴＲＶが、空気をその端部から反対側の端部の方に概ね軸に沿って流すように構成され、さらに、ＰＮＴＩが、新生児を軸と平行に収容するための、サイズおよび形状を用いて、構成されている、（ｂ）ＴＲＶが、少なくとも１つの第１の通気モジュール、少なくとも１つの第１の加熱／冷却モジュール、第１の通気モジュールまたは第１の加熱／冷却モジュールのいずれかに隣接して配置された少なくとも１つのエアフィルターおよびそれらの任意の組合せ、から成るグループから選択されたモジュールである、（ｃ）ＴＲＶが、加熱された空気、冷却された空気、加湿された空気、ろ過された空気、室温空気、所定のガス濃度の空気、およびそれらの任意の組合せ、から成るグループから選択された空気を、ＰＮＴＩに導入するように構成された少なくとも１つの通気モジュールを含む、（ｄ）ＴＲＶが、温度、湿度、圧力、浮遊微小粒子含量、ガス濃度、およびそれらの任意の組合せ、から成るグループから選択された空気の品質に対して、その品質を所定の値または値の範囲に維持するように構成された、フィードバック機構を含む、（ｅ）ＴＲＶが、ローターの軸と垂直に回転する少なくとも１つのローターを有する、ファンであり、さらに、その軸がＰＮＴＩの主縦軸と平行に配置されている、（ｆ）ＴＲＶが、直線気流、乱気流または両方を、ＰＮＴＩ内容積の少なくとも一部内に供給するように構成されている、（ｇ）ＰＮＴＩ、ＴＲＶまたは両方が、ＴＲＶ、ＰＮＴＩ内での空気の動き、ＭＲＤによって生成される音、ＰＮＴＩの外部の音、ＰＮＴＩに空気が入ることによって生成される音、およびそれらの任意の組合せ、から成るグループから選択されたものの音を少なくとも一部、減衰するように構成された、音減衰手段を含む、（ｈ）ＴＲＶが、可動式基部、少なくとも１つの支持、少なくとも１つのＰＮＴＩ端部、およびそれらの任意の組合せ、から成るグループから選択されたところに配置された少なくとも１つの通気モジュールから成り、さらに、通気モジュールが少なくとも１つの管によってＰＮＴＩに連結されている、（ｉ）ＰＮＴＩが中央処理装置（ＣＰＵ）を含み、さらに、ＣＰＵが、ＴＲＶ、少なくとも１つのセンサーから受信した信号に応答することによるＴＲＶの制御、ユーザーによって定義された値に従ったＴＲＶの制御、新生児の所定の健康状態に従ったＴＲＶの制御、およびそれらの任意の組合せ、から成るグループから選択されたものを制御するように構成されている、ならびに（ｊ）ＴＲＶが、端部の一方に配置された１つの第１のＴＲＶおよび反対側の端部に配置された少なくとも１つの第２のＴＲＶ、ＰＮＴＩ内部に配置された少なくとも１つのＴＲＶ、ＰＮＴＩの外部に配置されて、管によってＰＮＴＩと流体連結されている、少なくとも１つのＴＲＶ、およびＰＮＴＩと流体連結された少なくとも１つのＴＲＶ、およびＰＮＴＩから遠隔に配置されている少なくとも１つのＴＲＶ、から成るグループから選択されたものである、が当てはまる、受動型新生児搬送用保育器（ＰＮＴＩ）。
【０２６４】
本発明の一実施形態による、新生児の体温調節に有用であり、新生児を収容するためのサイズおよび形状を用いて構成された内容積を含み、その内容積が、近位端および反対側の遠位端をもつ主縦軸を有する外囲容器によって画定され、外囲容器が、少なくとも一部穴があけられていて、さらに、ＰＮＴＩが独立して通気される医療機器によって通気されるように構成され、さらに、以下のうちの少なくとも１つ、つまり（ａ）ＰＮＴＩが、生命維持装置、管または両方をドッキングするか、または通すために構成された少なくとも１つのポートを含む、（ｂ）ＰＮＴＩが、新生児を入れるための少なくとも１つの開口部を含む、（ｃ）ＰＮＴＩが、取扱者の手が入れられるように構成された少なくとも１つの開口部を含む、および（ｄ）ＰＮＴＩが、外囲容器の外側に可逆的に取付け可能な無孔層を追加として含む、が当てはまり、さらに、前述したようなＰＴＩが、ＰＮＴＩと流体連結した少なくとも１つの温度調節ベント（ＴＲＶ）を追加として含み、さらに、ＰＮＴＩが、少なくとも１つの空気再循環機構（ＡＲＭ）と空気連結されており、ＡＲＭが、（ａ）ＰＮＴＩの外部環境からＰＮＴＩの内部環境に向かう気流を収集するための少なくとも１つの空気吸込み口、および（ｂ）ＰＮＴＩの内部環境から流れた空気を収集するための少なくとも１つの再循環された空気の吹き出し口、を含み、さらに、以下のうちの少なくとも１つ、つまり（ａ）ＰＮＴＩが追加として、再循環された気流、ＰＮＴＩの外部環境からの気流、ＰＮＴＩの内部環境に向かって流れる空気、およびそれらの任意の組合せ、から成るグループから選択された少なくとも１つの気流を調節するための少なくとも１つの気流調整器を含む、（ｂ）ＰＮＴＩが追加として、少なくとも１つの空気バッフル、少なくとも１つのエアフィルター、およびそれらの任意の組合せ、から成るグループから選択されたものを含む、（ｃ）ＰＮＴＩが、中にいる新生児の位置を迂回するように気流ドリフトを向けるように構成されている、ならびに（ｄ）ＰＮＴＩが、外部から供給された加圧ガスと流体連結されている、が当てはまる、受動型新生児搬送用保育器（ＰＮＴＩ）。
【０２６５】
ＰＮＴＩが、ＭＲＩで使えるカートと相互接続されている、前述のＰＴＩを開示することは、本発明の別の目的である。
【０２６６】
本発明の一実施形態による、新生児の体温調節に有用であり、新生児を収容するためのサイズおよび形状を用いて構成された内容積を含み、その内容積が、近位端および反対側の遠位端をもつ主縦軸を有する外囲容器によって画定され、外囲容器が、少なくとも一部穴があけられていて、さらに、ＰＮＴＩが独立して通気される医療機器によって通気されるように構成され、さらに、以下のうちの少なくとも１つ、つまり（ａ）ＰＮＴＩが、生命維持装置、管または両方をドッキングするか、または通すために構成された少なくとも１つのポートを含む、（ｂ）ＰＮＴＩが、新生児を入れるための少なくとも１つの開口部を含む、（ｃ）ＰＮＴＩが、取扱者の手が入れられるように構成された少なくとも１つの開口部を含む、および（ｄ）ＰＮＴＩが、外囲容器の外側に可逆的に取付け可能な無孔層を追加として含む、が当てはまり、さらに、前述したようなＰＴＩが、ＰＮＴＩと流体連結した少なくとも１つの温度調節ベント（ＴＲＶ）を追加として含み、さらに、以下のうちの少なくとも１つ、つまり（ａ）ＴＲＶが端部の少なくとも一方に配置されていて、さらに、ＴＲＶが、空気をその端部から反対側の端部の方に概ね軸に沿って流すように構成され、さらに、ＰＮＴＩが、新生児を軸と平行に収容するための、サイズおよび形状を用いて、構成されている、（ｂ）ＴＲＶが、少なくとも１つの第１の通気モジュール、少なくとも１つの第１の加熱／冷却モジュール、第１の通気モジュールまたは第１の加熱／冷却モジュールのいずれかに隣接して配置された少なくとも１つのエアフィルターおよびそれらの任意の組合せ、から成るグループから選択されたモジュールである、（ｃ）ＴＲＶが、加熱された空気、冷却された空気、加湿された空気、ろ過された空気、室温空気、所定のガス濃度の空気、およびそれらの任意の組合せ、から成るグループから選択された空気を、ＰＮＴＩに導入するように構成された少なくとも１つの通気モジュールを含む、（ｄ）ＴＲＶが、温度、湿度、圧力、浮遊微小粒子含量、ガス濃度、およびそれらの任意の組合せ、から成るグループから選択された空気の品質に対して、その品質を所定の値または値の範囲に維持するように構成された、フィードバック機構を含む、（ｅ）ＴＲＶが、ローターの軸と垂直に回転する少なくとも１つのローターを有する、ファンであり、さらに、その軸がＰＮＴＩの主縦軸と平行に配置されている、（ｆ）ＴＲＶが、直線気流、乱気流または両方を、ＰＮＴＩ内容積の少なくとも一部内に供給するように構成されている、（ｇ）ＰＮＴＩ、ＴＲＶまたは両方が、ＴＲＶ、ＰＮＴＩ内での空気の動き、ＭＲＤによって生成される音、ＰＮＴＩの外部の音、ＰＮＴＩに空気が入ることによって生成される音、およびそれらの任意の組合せ、から成るグループから選択されたものの音を少なくとも一部、減衰するように構成された、音減衰手段を含む、（ｈ）ＴＲＶが、可動式基部、少なくとも１つの支持、少なくとも１つのＰＮＴＩ端部、およびそれらの任意の組合せ、から成るグループから選択されたところに配置された少なくとも１つの通気モジュールから成り、さらに、通気モジュールが少なくとも１つの管によってＰＮＴＩに連結されている、（ｉ）ＰＮＴＩが中央処理装置（ＣＰＵ）を含み、さらに、ＣＰＵが、ＴＲＶ、少なくとも１つのセンサーから受信した信号に応答することによるＴＲＶの制御、ユーザーによって定義された値に従ったＴＲＶの制御、新生児の所定の健康状態に従ったＴＲＶの制御、およびそれらの任意の組合せ、から成るグループから選択されたものを制御するように構成されている、ならびに（ｊ）ＴＲＶが、端部の一方に配置された１つの第１のＴＲＶおよび反対側の端部に配置された少なくとも１つの第２のＴＲＶ、ＰＮＴＩ内部に配置された少なくとも１つのＴＲＶ、ＰＮＴＩの外部に配置されて、管によってＰＮＴＩと流体連結されている、少なくとも１つのＴＲＶ、およびＰＮＴＩと流体連結された少なくとも１つのＴＲＶ、およびＰＮＴＩから遠隔に配置されている少なくとも１つのＴＲＶ、から成るグループから選択されたものである、が当てはまり、さらに、ＰＮＴＩが、外部通気モジュール、外部加湿器、管、外部空気清浄器、外部加熱／冷却装置、外部濃縮薬剤投与装置、およびそれらの任意の組合せ、から成るグループから選択されたものと連結された、少なくとも１つの空気入口を含み、さらに、以下のうちの少なくとも１つ、つまり（ａ）穿孔のうちの少なくとも１つが、信号を受信して、その穿孔を少なくとも一部開くか、または閉じることによって応答するように構成されている、（ｂ）穿孔のうちの少なくとも１つが、サイズ、量、位置、およびそれらの任意の組合せ、から成るグループから選択された方法で調整可能である、（ｃ）穿孔のうちの少なくとも１つが、少なくとも一部密封可能である、（ｄ）穿孔のうちの少なくとも１つが、操作しやすいバッフルに連結されている、（ｅ）穿孔のうちの少なくとも１つが、少なくとも１つのエアフィルターを含む、（ｆ）穿孔のうちの少なくとも１つが、所定の音を減衰するためのサイズおよび形状を用いて構成されている、ならびに（ｇ）穿孔のうちの少なくとも１つが、中にいる新生児の位置を迂回するように気流ドリフトを向けるように構成されている、が当てはまる、受動型新生児搬送用保育器（ＰＮＴＩ）。
【０２６７】
本発明の一実施形態による、新生児の体温調節に有用であり、新生児を収容するためのサイズおよび形状を用いて構成された内容積を含み、その内容積が、近位端および反対側の遠位端をもつ主縦軸を有する外囲容器によって画定され、外囲容器が、少なくとも一部穴があけられていて、さらに、ＰＮＴＩが独立して通気される医療機器によって通気されるように構成され、さらに、以下のうちの少なくとも１つ、つまり（ａ）ＰＮＴＩが、生命維持装置、管または両方をドッキングするか、または通すために構成された少なくとも１つのポートを含む、（ｂ）ＰＮＴＩが、新生児を入れるための少なくとも１つの開口部を含む、（ｃ）ＰＮＴＩが、取扱者の手が入れられるように構成された少なくとも１つの開口部を含む、および（ｄ）ＰＮＴＩが、外囲容器の外側に可逆的に取付け可能な無孔層を追加として含む、が当てはまり、さらに、前述したようなＰＴＩが、ＰＮＴＩと流体連結した少なくとも１つの温度調節ベント（ＴＲＶ）を追加として含み、さらに、ＰＮＴＩが、ＰＮＴＩに入る気流の音、ＭＲＤによって生成される音、ＰＮＴＩ内の気流の音、外部環境によって生成される音、およびそれらの任意の組合せ、から成るグループから選択されたものを少なくとも一部、減衰するように構成された、音減衰手段を含み、さらに、ＰＮＴＩが、温度センサー、動きセンサー、呼吸センサー、ガス濃度センサー、気流センサー、湿度センサー、ドア開閉センサー、重量センサー、ＲＦセンサー、気圧センサー、循環器活動センサー、磁場センサー、放射線センサー、およびそれらの任意の組合せ、から成るグループから選択された、少なくとも１つのセンサーを含み、さらに、以下のうちの少なくとも１つ、つまり（ａ）ＰＮＴＩが中央処理装置（ＣＰＵ）を含む、（ｂ）ＰＮＴＩが追加として、少なくとも１つのセンサーからの情報、気圧、温度、湿度、音レベル、ガス濃度、浮遊微小粒子数、およびそれらの任意の組合せ、から成るグループから選択された、ＰＮＴＩ内容積のパラメータの所定の値に応答して、穿孔を通過する気流を制御するように構成されたＣＰＵを含む、が当てはまる、受動型新生児搬送用保育器（ＰＮＴＩ）。
【０２６８】
本発明の一実施形態による、新生児の体温調節に有用であり、新生児を収容するためのサイズおよび形状を用いて構成された内容積を含み、その内容積が、近位端および反対側の遠位端をもつ主縦軸を有する外囲容器によって画定され、外囲容器が、少なくとも一部穴があけられていて、さらに、ＰＮＴＩが独立して通気される医療機器によって通気されるように構成され、さらに、以下のうちの少なくとも１つ、つまり（ａ）ＰＮＴＩが、生命維持装置、管または両方をドッキングするか、または通すために構成された少なくとも１つのポートを含む、（ｂ）ＰＮＴＩが、新生児を入れるための少なくとも１つの開口部を含む、（ｃ）ＰＮＴＩが、取扱者の手が入れられるように構成された少なくとも１つの開口部を含む、および（ｄ）ＰＮＴＩが、外囲容器の外側に可逆的に取付け可能な無孔層を追加として含む、が当てはまり、さらに、前述したようなＰＴＩが、ＰＮＴＩと流体連結した少なくとも１つの温度調節ベント（ＴＲＶ）を追加として含み、さらに、ＰＮＴＩの壁の少なくとも一部が、内壁および外壁を含む、二重ジャケット壁構成（ＤＪＷ）であり、ＤＪＷが、少なくとも一部穴のあいた内壁および完全で穴のあいていない外壁を含むか、または外壁および内壁が両方とも、少なくとも一部穴があいていて、それにより、ＤＪＷが、事前に定義された幅（ｗ）および長さ（ｌ）を有する導管内の主縦軸に沿って、気流を促進し、さらに、二重ジャケット壁の間の導管が、音減衰手段、断熱材、振動低減手段、ＲＦコイル、導電材料、非導電材料、およびそれらの任意の組合せ、から成るグループから選択されたものを含み、さらに、幅および長さ（ｗ，ｌ）の少なくとも一部が、縦軸に沿って等しい、縦軸に沿って変化する、およびそれらの任意の組合せ、から成るグループから選択されている、受動型新生児搬送用保育器（ＰＮＴＩ）。
【図１Ａ】
0006480455.tif 000002
【図１Ｂ】
0006480455.tif 000003
【図２Ａ】
0006480455.tif 000004
【図２Ｂ】
0006480455.tif 000005
【図３】
0006480455.tif 000006
【図４Ａ】
0006480455.tif 000007
【図４Ｂ】
0006480455.tif 000008
【図５Ａ】
0006480455.tif 000009
【図５Ｂ】
0006480455.tif 000010
【図５Ｃ】
0006480455.tif 000011
【図５Ｄ】
0006480455.tif 000012
【図５Ｅ】
0006480455.tif 000013
【図５Ｆ】
0006480455.tif 000014
【図５Ｇ】
0006480455.tif 000015
【図６Ａ】
0006480455.tif 000016
【図６Ｂ】
0006480455.tif 000017
【図７Ａ】
0006480455.tif 000018
【図７Ｂ】
0006480455.tif 000019
【図８】
0006480455.tif 000020
【図９】
0006480455.tif 000021
【図１０Ａ】
0006480455.tif 000022
【図１０Ｂ】
0006480455.tif 000023
【図１０Ｃ】
0006480455.tif 000024
【図１０Ｄ】
0006480455.tif 000025
【図１１】
0006480455.tif 000026
【図１２】
0006480455.tif 000027
【図１３Ａ】
0006480455.tif 000028
【図１３Ｂ】
0006480455.tif 000029
【図１３Ｃ】
0006480455.tif 000030